(57)【要約】      （修正有）【課題】爪に印刷されるデザイン画像と同一のデザイン画像や、当該デザイン画像に柄、色調、雰囲気が関連したデザイン画像を、装飾具に印刷することができるネイルプリント装置を提供する。【解決手段】ネイルプリント装置に、指の爪と装飾具とに印刷を施す印刷ヘッドと、指を挿入する印刷指挿入部と、印刷指挿入部内に配置され、少なくとも装飾具が載置される装飾具保持部と、を備えた。【選択図】図１９
2014094127.tif 000002
【特許請求の範囲】
【請求項１】
指の爪と、装飾具と、に印刷を施す印刷ヘッドと、
前記指を挿入する指挿入部と、
前記指挿入部内に配置され、少なくとも前記装飾具が載置される装飾具保持部と、
を備えていることを特徴とするネイルプリント装置。
【請求項２】
前記指挿入部に挿入された前記指の爪と、前記指挿入部内に配置された前記装飾具保持部に載置された前記装飾具と、にデザイン画像の印刷を施すように前記印刷ヘッドを制御する印刷制御部を備え、
前記装飾具保持部は、前記指挿入部から挿脱可能に設けられていることを特徴とする請求項１に記載のネイルプリント装置。
【請求項３】
前記指挿入部は、前記指を載置する指載置部を備え、
前記装飾具保持部は、前記装飾具が載置された場合に前記装飾具の前記被印刷面と前記指載置部に載置された前記指の爪とがほぼ同一の高さになるように形成されることを特徴とする請求項１及び請求項２に記載のネイルプリント装置。
【請求項４】
前記印刷制御部は、前記装飾具の前記被印刷面が曲面を持つ場合、前記被印刷面の前記曲面の曲率が大きくなるほど前記印刷ヘッドによる印刷の際の印刷ピッチが細かくなるように前記印刷ヘッドを制御することを特徴とする請求項１から請求項３のいずれか一項に記載のネイルプリント装置。
【請求項５】
前記装飾具の前記被印刷面に対応する装飾具被印刷領域を取得する印刷領域抽出部と、
前記印刷領域抽出部によって取得された前記装飾具被印刷領域に前記デザイン画像を合せ込むことにより、前記デザイン画像の元画像から前記装飾具被印刷領域の形状に沿った合せ込み画像を生成する合せ込み画像生成部と、
前記合せ込み画像生成部によって生成された前記合せ込み画像を表示するよう表示部を制御する表示制御部と、
を備えていることを特徴とする請求項１から請求項４のいずれか一項に記載のネイルプリント装置。
【請求項６】
前記指挿入部の側壁又は前記指載置部上には、前記装飾具保持部をスライドさせるための溝が形成されていることを特徴とする請求項１から請求項５のいずれか一項に記載のネイルプリント装置。
【請求項７】
前記指挿入部内に配置された前記装飾具保持部内の前記装飾具と、前記指挿入部内の前記指載置部上に載置された前記指の爪と、に前記デザイン画像を一度に印刷することが可能であることを特徴とする請求項１から請求項６のいずれか一項に記載のネイルプリント装置。
【請求項８】
前記装飾具保持部の前記装飾具を載置する被印刷部材載置エリアには、複数の深さの凹部が形成されていることを特徴とする請求項１から請求項７のいずれか一項に記載のネイルプリント装置。
【発明の詳細な説明】
【技術分野】
【０００１】
本発明は、ネイルプリント装置に関するものである。
【背景技術】
【０００２】
従来、ファッションとして人の指の爪に好みのデザイン画像を印刷するネイルプリント装置が知られている（例えば、特許文献１参照）。
このような装置を用いれば、ネイルサロン等を利用することなく、簡易にネイルプリントを楽しむことができる。
【先行技術文献】
【特許文献】
【０００３】
【特許文献１】特表２００３−５３４０８３号公報
【発明の概要】
【発明が解決しようとする課題】
【０００４】
ところで、ファッションとして爪にデザイン画像を印刷するユーザは、同時に装飾品として、イヤリングなどの装飾具を身につけることも一般的である。この場合、爪と装身具とに装飾上の統一感を持たせるために、爪に印刷されるデザイン画像と、装飾具に施されるデザインとは、柄、色調、雰囲気が関連し、統一感があることが好ましい。このため、爪に印刷されるデザイン画像と装飾具のデザインとの間に統一感を付与させるために、ネイルプリント装置によって、爪に印刷されるデザイン画像と同一のデザイン画像や、この爪に印刷されるデザイン画像に柄、色調、雰囲気が関連したデザイン画像（関連デザイン画像）を装飾具に印刷できることが好ましい。
しかしながら、従来のネイルプリント装置は、爪に印刷することに特化し、装飾具への印刷に対応した治具やソフトを備えていないため、爪以外の装飾具に対して印刷することはできなかった。
【０００５】
このため、爪に印刷されるデザイン画像と装飾具のデザインとの間に統一感を付与させるためには、ユーザが自ら装飾具を爪に印刷されるデザイン画像に合せて購入するか、ユーザが持っている装飾具に合ったデザイン画像しか選ぶことができず、不便であり、デザイン画像の選択肢も限られてしまうという問題があった。
【０００６】
本発明は以上のような事情に鑑みてなされたものであり、爪に印刷されるデザイン画像と同一のデザイン画像や、当該デザイン画像に柄、色調、雰囲気が関連したデザイン画像を、装飾具に印刷することができるネイルプリント装置を提供することを目的とするものである。
【課題を解決するための手段】
【０００７】
前記課題を解決するために、本発明のネイルプリント装置は、
指の爪と、装飾具と、に印刷を施す印刷ヘッドと、
前記指を挿入する指挿入部と、
前記指挿入部内に配置され、少なくとも前記装飾具が載置される装飾具保持部と、
を備えていることを特徴としている。
【発明の効果】
【０００８】
本発明によれば、爪に印刷されるデザイン画像に合せてユーザが自ら装飾具を購入したり、ユーザが持っている装飾具に合せて爪に印刷されるデザイン画像を選択したりしなくても、爪に印刷されるデザイン画像と装飾具のデザインとを合せることができるため、簡易に統一感のあるおしゃれを楽しむことができるとの効果を奏する。
【図面の簡単な説明】
【０００９】
【図１】本発明に係るネイルプリント装置の一実施形態を概念的に示した斜視図で、蓋体を開いた状態を示している。
【図２】図１のネイルプリント装置の装置本体を概念的に示した斜視図である。
【図３】図１のネイルプリント装置の要部である印刷指固定部を示した断面図で、印刷指として人差し指から小指を印刷指挿入部に挿入した際の固定態様を示している。
【図４】第１の実施形態の掴み部の平面図であり、（Ａ）は、第１の指位置決め部により左手の人差し指から小指を位置決めし第２の指位置決め部により右手の親指を位置決めした状態を示した図であり、（Ｂ）は、第１の指位置決め部により右手の人差し指から小指を位置決めし第２の指位置決め部により左手の親指を位置決めした状態を示した図である。
【図５】指４本のみを指載置部上に載置し印刷する場合の印刷指固定部を示す斜視図である。
【図６】（Ａ）は、第１の実施形態における装飾具保持部の平面図であり、（Ｂ）は、（Ａ）における装飾具保持部のＡ−Ａ線断面図である。
【図７】図６（Ａ）に示す装飾具保持部を指載置部上に挿入し装飾具のみを印刷する場合の印刷指固定部を示す斜視図である。
【図８】図１のネイルプリント装置の正面側の断面図である。
【図９】図１のネイルプリント装置の側面側の断面図である。
【図１０】第１の実施形態におけるネイルプリント装置の制御構成を示した要部ブロック図である。
【図１１】第１の実施形態における爪領域に対する爪合せ込み画像の生成を説明する説明図である。
【図１２】第１の実施形態における爪印刷用画像の印刷ピッチについて説明する説明図である。
【図１３】第１の実施形態における装飾パーツの被印刷面に対する装飾具合せ込み画像の生成を説明する説明図である。
【図１４】第１の実施形態における印刷処理の全体の流れを示すフローチャートである。
【図１５】第１の実施形態における爪印刷モードによる印刷処理を示すフローチャートである。
【図１６】第１の実施形態における装飾具印刷モードによる印刷処理を示すフローチャートである。
【図１７】（Ａ）は、装飾具枠から装飾パーツが取り外されている状態の一例を示す説明図であり、（Ｂ）は、（Ａ）の装飾具枠に装飾パーツを取り付けた装飾具の一例を示す説明図である。
【図１８】（Ａ）は、ネイルデザインの一例を示す説明図であり、（Ｂ）は、（Ａ）のネイルデザインを印刷した装飾パーツの例を示す説明図であり、（Ｃ）は、（Ａ）のネイルデザインの色を反転させたデザインを印刷した装飾パーツの例を示す説明図であり、（Ｄ）は、（Ａ）のネイルデザインに関連するデザイン画像を印刷した装飾パーツの例を示す説明図である。
【図１９】ネイルデザインが印刷された爪及び装飾パーツデザインが印刷された装飾具のイメージ画像を表示した表示部の一例を示す説明図である。
【図２０】背景色や柄の色を変えた装飾パーツデザインが印刷された装飾具のイメージ画像を表示した表示部の一例を示す説明図である。
【図２１】（Ａ）は、第２の実施形態における装飾具保持部の平面図であり、（Ｂ）は、（Ａ）における装飾具保持部のＢ−Ｂ線断面図である。
【図２２】第２の実施形態の装飾具印刷モードにおける印刷処理を示すフローチャートである。
【図２３】（Ａ）は、第３の実施形態における装飾具保持部の平面図であり、（Ｂ）は、（Ａ）における装飾具保持部のＣ−Ｃ線断面図である。
【図２４】第３の実施形態の装飾具印刷モードにおける印刷処理を示すフローチャートである。
【図２５】第３の実施形態における装飾パーツに対する印刷手順を説明する説明図である。
【図２６】（Ａ）は、第４の実施形態における装飾具保持部の平面図であり、（Ｂ）は、（Ａ）における装飾具保持部のＤ−Ｄ線断面図である。
【図２７】第４の実施形態の装飾具印刷モードにおける印刷処理を示すフローチャートである。
【図２８】（Ａ）は、本発明の装飾具保持部の一変形例における装飾具保持部の平面図であり、（Ｂ）は、（Ａ）における装飾具保持部のＥ−Ｅ線断面図である。
【図２９】図２８（Ａ）に示す装飾具保持部及び指１本を指載置部上に載置し一度に印刷する場合の印刷指固定部を示す斜視図である。
【発明を実施するための形態】
【００１０】
［第１の実施形態］
図１から図１８を参照しつつ、本発明に係るネイルプリント装置１の第１の実施形態について説明する。
図１は、本実施形態におけるネイルプリント装置１の外観を示す斜視図であり、図２は、ネイルプリント装置１の内部構成を示す斜視図である。
本実施形態においてネイルプリント装置１は、指の爪に各種のデザイン画像を印刷することができる他、爪Ｔに印刷されるデザイン画像及び当該デザイン画像に柄、色調、雰囲気が関連したデザイン画像を、装飾具保持部６１０に備えられた被印刷部材載置エリア６１１に載置された装飾具Ｓの被印刷部材（本実施形態では、装飾パーツＳｐ）の被印刷面（パーツ被印刷面Ｐｓ）に印刷することができるネイルプリント装置１である（図６（Ａ）、図６（Ｂ）等参照）。
以下の説明では、爪Ｔに印刷するデザイン画像を「ネイルデザインＤｎ」、装飾パーツＳｐに印刷するデザイン画像（ネイルデザインＤｎと同じデザイン画像）を「装飾パーツデザインＤｓ」、爪Ｔに印刷するデザイン画像であるネイルデザインＤｎに柄、色調、雰囲気が関連したデザイン画像を「関連デザイン画像Ｒ」という。
なお、本実施形態では、装飾具Ｓは、図１７（Ａ）等に示すように、装飾パーツＳｐを装飾具枠Ｓｆに嵌め込むことで形成されており、この装飾パーツＳｐは、装飾具Ｓから取り外し可能となっている。また、本実施形態では、各装飾パーツＳｐには、各装飾パーツＳｐを特定するパーツナンバーが割り当てられているものとする。
【００１１】
図１に示すように、本実施形態のネイルプリント装置１は、ケース本体２、蓋体４の他、印刷対象となる爪に対応する指（印刷指Ｕ１）が挿入される指挿入部である印刷指挿入部２０ａ等を備える装置本体１０、この印刷指挿入部２０ａから挿脱可能に設けられている装飾具保持部６１０（図６（Ａ），図６（Ｂ）等参照）等を備えている。
本実施形態において、ケース本体２及び蓋体４は、ケース本体２の上面後端部に設けたヒンジ３を介して、互いに連結されている。
上記ケース本体２は平面視で長円状に形成されている。このケース本体２の前側には開閉板２ｃが起倒可能に設けられている。この開閉板２ｃは、ケース本体２の前面下端部に設けたヒンジ（図示せず）を介して、ケース本体２に連結されている。この開閉板２ｃは、ケース本体２の前面を開閉するためのものである。
また、ケース本体２の上面（天板）には後述する操作部１２が設置されており、上面（天板）のほぼ中央部には後述する表示部１３が設定されている。
なお、ケース本体２及び蓋体４の形状、構成はここに例示したものに限定されない。
【００１２】
また、ケース本体２にはネイルプリント装置１の装置本体１０が収容されている。この装置本体１０は、図２に示す印刷指固定部２０、撮影部３０、印刷部４０及び制御装置５０（図１０参照）を備えている。これら印刷指固定部２０、撮影部３０、印刷部４０及び制御装置５０は機枠１１に設けられている。
なお、図２に示すように、機枠１１は下部機枠１１ａ及び上部機枠１１ｂによって構成されている。そして、下部機枠１１ａは箱状に形成され、ケース本体２の内部下方に設置されており、上部機枠１１ｂは下部機枠１１ａの上方で且つケース本体２の内部上方に設置されている。
【００１３】
印刷指固定部２０は、機枠１１の中の下部機枠１１ａに設けられている。印刷指固定部２０は、この下部機枠１１ａに設けられた印刷指挿入部２０ａ、非印刷指挿入部２０ｂ及び指載置部２０ｃによって構成されている。
ここで、印刷指挿入部２０ａは、印刷しようとする爪Ｔに対応する指（以下「印刷指Ｕ１」という。）を挿入するめための指挿入部である（図３参照）。
また、非印刷指挿入部２０ｂは、印刷指Ｕ１以外の指（以下「非印刷指Ｕ２」という。）を挿入するための指挿入部である（図３参照）。
【００１４】
指載置部２０ｃには、印刷指Ｕ１が載置される。また、本実施形態では、印刷指Ｕ１を載置した際に、印刷指挿入部２０ａに挿入された印刷指Ｕ１と、非印刷指挿入部２０ｂに挿入された非印刷指Ｕ２とで挟持することが可能な部分である。本実施形態において、この指載置部２０ｃは印刷指挿入部２０ａと非印刷指挿入部２０ｂとを仕切る隔壁２１によって構成されている。
この指載置部２０ｃの指挿入側端部には膨出部２２が形成されている。この膨出部２２は、印刷指挿入部２０ａ及び非印刷指挿入部２０ｂに印刷指Ｕ１及び非印刷指Ｕ２を深く挿入した際に、印刷指Ｕ１及び非印刷指Ｕ２の付け根Ｕ３が当接する部分に形成されている。膨出部２２は、印刷指Ｕ１の腹全体が指載置部２０ｃに当接した状態で、印刷指Ｕ１と非印刷指Ｕ２とで指載置部２０ｃを強く挟持することができるように、指挿入方向の断面が、指載置部２０ｃの下面から下方に向けて膨出するように円形となっている。なお、膨出部２２の形状は、断面円形に限定されることなく、断面楕円形，多角形等の非円形であってもよい。
【００１５】
図３は、左手の親指以外の４本の指（人差し指、中指、薬指及び小指）が印刷指Ｕ１となる場合における印刷指Ｕ１の固定態様の一例を具体的に示したものである。
この場合、図３に示すように、ユーザが印刷指挿入部２０ａに挿入された印刷指Ｕ１と、非印刷指挿入部２０ｂに挿入された非印刷指Ｕ２とで指載置部２０ｃを挟持することにより、印刷指Ｕ１が指載置部２０ｃの上で固定される。
【００１６】
図１及び図３等に示すように、本実施形態において、指載置部２０ｃの幅方向の中央部には、印刷指挿入部２０ａに挿入された印刷指Ｕ１である人差し指から小指までの４つの指と非印刷指挿入部２０ｂに挿入された非印刷指Ｕ２であるその他の指（すなわち、親指）との付け根Ｕ３を端部に突き当てることによって、人差し指から小指までの４つの指の位置決めを行うことが可能な第１の指位置決め部２０１が配置されている。
本実施形態において、第１の指位置決め部２０１の幅方向Ｘの長さ寸法は、印刷指挿入部２０ａに挿入される人差し指から小指までの４つの指の左右幅の寸法とほぼ同じか、これよりも多少大きい寸法となっている。なお、第１の指位置決め部２０１は、印刷指挿入部２０ａに挿入される人差し指から小指を支持可能なものであればよく、その幅方向Ｘの長さ寸法は、人差し指から小指までの４つの指の左右幅の寸法よりも小さくてもよい。
【００１７】
また、指載置部２０ｃには、第１の指位置決め部２０１の左右両側に、印刷指挿入部２０ａに挿入された印刷指Ｕ１である親指と非印刷指挿入部２０ｂに挿入された非印刷指Ｕ２であるその他の指（すなわち、人差し指から小指までの４つの指）との付け根Ｕ３を端部に突き当てることによって、印刷指挿入部２０ａに挿入された親指の位置決めを行うことが可能な第２の指位置決め部２０２が配置されている。
【００１８】
第２の指位置決め部２０２は、第１の指位置決め部２０１の端部よりもその端部が印刷指の挿入方向Ｙの奥側にずれた位置に配置されている。第２の指位置決め部２０２の端部を第１の指位置決め部２０１の端部に対してどの程度ずらすかは特に限定されないが、親指の爪Ｔｂと他の４本の指の各爪Ｔａの位置がほぼ横方向に並ぶ程度となることが好ましい。親指及び他の４本の指の印刷指の挿入方向Ｙにおける位置を揃えることにより、撮影部３０の撮影可能領域及び印刷ヘッド４６の印刷可能領域を狭くすることができる。
この点、人間の手は親指が他の４本の指に比べて短く、掴み方や個人差はあるものの、親指と他の４本の指とでは、その長さに４０〜７５ｍｍの差がある。そこで、このような指の長さの差を考慮して、第２の指位置決め部２０２の端部は第１の指位置決め部２０１の端部よりも４０〜７５ｍｍ程度、印刷指Ｕ１の挿入方向Ｙの奥側にずれていることが好ましい。
【００１９】
図４（Ａ）は、指載置部２０ｃの第１の指位置決め部２０１に左手の４つの指（人差し指、中指、薬指、小指）を位置決めし、この第１の指位置決め部２０１の右側に配置された第２の指位置決め部２０２に右手の親指を位置決めした状態を示している。また、図４（Ｂ）は、指載置部２０ｃの第１の指位置決め部２０１に右手の４つの指（人差し指、中指、薬指、小指）を位置決めし、この第１の指位置決め部２０１の左側に配置された第２の指位置決め部２０２に左手の親指を位置決めした状態を示している。
また、図５は、指４本のみを指載置部２０ｃ上に載置し印刷する場合の例を示す印刷指固定部２０の斜視図である。
【００２０】
また、本実施形態では、前述のように、図１７（Ｂ）に示すような装飾具Ｓから取り外された被印刷部材である装飾パーツＳｐが載置された装飾具保持部６１０（図６（Ａ）、図６（Ｂ）等参照）を印刷指挿入部２０ａに挿入して、装飾パーツＳｐにデザイン画像（装飾パーツデザインＤｓ等）を印刷することが可能となっている。
なお、本実施形態の装飾パーツＳｐは、例えば透明な樹脂等で形成されており、後述する印刷領域抽出部５２３が後述する装飾パーツ画像からパーツ被印刷面Ｐｓの領域（パーツ被印刷領域Ａｋ、図１３参照）を精密に抽出できるよう、パーツ被印刷面Ｐｓがインク等で着色（表面処理）されている。装飾パーツＳｐに着色される色は、特に限定されないが、印刷されるデザイン画像の色合いに影響を与えないよう、白色であることが好ましい。また、この場合、被印刷部材載置エリア６１１の色は、印刷領域抽出部５２３がパーツ被印刷領域Ａｋを抽出しやすいような色（例えば、装飾パーツＳｐが白色に表面処理されている場合、黒色等）であることが好ましい。
【００２１】
ここで、本実施形態における装飾具保持部６１０について、図６（Ａ）及び図６（Ｂ）を参照しつつ説明する。
図６（Ａ）は、第１の実施形態における装飾具保持部６１０の平面図であり、図６（Ｂ）は、図６（Ａ）における装飾具保持部６１０のＡ−Ａ線断面図である。図７は、図６（Ａ）に示す装飾具保持部６１０を指載置部上に挿入し装飾具のみを印刷する場合の例を示す印刷指固定部２０の斜視図である。
なお、以下において、被印刷部材載置エリア６１１に装飾パーツＳｐが載置された装飾具保持部６１０を印刷指挿入部２０ａ内に挿入した際、挿入方向Ｙの奥側に位置する側を「奥側」、挿入方向Ｙの手前側（すなわち挿入口側）に位置する側を「手前側」とする。
【００２２】
装飾具保持部６１０は、印刷指挿入部２０ａ内に配置され、少なくとも装飾具Ｓの装飾パーツＳｐ（被印刷部材）が載置されるものである。本実施形態の装飾具保持部６１０は、印刷指挿入部２０ａに挿入された場合、指載置部２０ｃに載置されるようになっている（図８参照）。
本実施形態において、装飾具保持部６１０は、例えば樹脂等で成型された板状の部材である。なお、装飾具保持部６１０を形成する材料は樹脂に限定されない。
また、装飾具保持部６１０は、装飾パーツＳｐが載置された場合に装飾パーツＳｐのパーツ被印刷面Ｐｓと指載置部２０ｃに載置された印刷指Ｕ１の爪Ｔとが略同一の高さになるように形成された被印刷部材載置エリア６１１を備えている。本実施形態では、装飾具保持部６１０に備えられた被印刷部材載置エリア６１１に装飾具Ｓの装飾パーツＳｐ（被印刷部材）が載置される。
また、装飾具保持部６１０は、この他に、トレーコード６０１、トレーナンバー６０２を備えている。
【００２３】
被印刷部材載置エリア６１１は、図６（Ａ）等に示すように、装飾具保持部６１０の上面の奥側に形成された平面視略矩形の凹部である。被印刷部材載置エリア６１１には、装飾具Ｓから取り外された装飾パーツＳｐの被印刷面（パーツ被印刷面Ｐｓ）が印刷ヘッド４６に対向するように載置される。本実施形態では、図６（Ｂ）に示すように、装飾パーツＳｐの表面（装飾具Ｓに取り付けられた際の表面）がパーツ被印刷面Ｐｓとなる。
また、本実施形態の被印刷部材載置エリア６１１には、図６（Ａ）に示すように複数の装飾パーツＳｐが載置されるものとする。
なお、装飾具保持部６１０の種類や数は、特に限定されないが、本実施形態では、パーツ被印刷面Ｐｓの形状によって、被印刷部材載置エリア６１１の形状や高さの異なるものが複数種類用意されているものとする。
【００２４】
トレーコード６０１は、後述するトレーコード読取部５２６によって読み取り可能なコードである。本実施形態において、トレーコード６０１には、装飾具保持部６１０の種類が識別可能な情報（例えば、後述するトレーナンバー６０２等）、その他装飾具保持部６１０に関する情報が含まれている。このトレーコード６０１がトレーコード読取部５２６によって読み取られることにより、印刷指挿入部２０ａに挿入された装飾具保持部６１０の種類が識別される。なお、トレーコード６０１に含まれる情報（トレー情報）は、特に限定されず、ここで挙げたものに限定されない。
本実施形態では、トレーコード６０１として、２次元コードを用いている。
「２次元コード」とは、縦と横の両方向に意味のある符合によって情報を記憶するトレーコード６０１である。なお、トレーコード６０１は、撮影部３０によって読み取り可能なものであれば特に限定されず、例えば、バーコードのように縦横いずれか一方の方向にのみ意味のある符合によって情報を記憶する１次元コードでもよいが、本実施形態のように２次元コードを用いた場合には、トレーコード６０１により多くの情報を含めることができるため、好ましい。
なお、トレーコード６０１の位置は、撮影部３０によって撮影可能な位置であればよく、図示例に限定されない。
【００２５】
トレーナンバー６０２は、装飾具保持部６１０の種類を示す識別番号である。ユーザは、このトレーナンバー６０２を視認することで装飾具保持部６１０の種類を識別することができる。なお、トレーナンバー６０２の位置は、特に限定されず、図示例のように、装飾具保持部６１０の奥側と手前側に一つずつあってもよいし、いずれか一つであってもよい。また、装飾具保持部６１０の形状等によって、ユーザが装飾具保持部６１０の種類を容易に識別できるような場合には、トレーナンバー６０２を設けなくてもよい。
【００２６】
また、この装飾具保持部６１０の上面には、滑り止め６０３が形成されている。滑り止め６０３は、例えば、装飾具保持部６１０の上面から突出するように取り付けられたゴム等であり、装飾具保持部６１０を印刷指挿入部２０ａ内に挿脱する際にユーザの手指が引っ掛かりやすく、滑りにくいようになっている。
【００２７】
また、図８は、本実施形態におけるネイルプリント装置１の正面側の断面図であり、図９は、ネイルプリント装置１の側断面図である。
図８及び図９に示すように、撮影部３０は、機枠１１の中の上部機枠１１ｂに設けられている。
すなわち、上部機枠１１ｂに設置された基板３１の中央部下面には、ドライバーを内蔵した２００万画素程度以上の画素を有するカメラ３２が設置されている。また、基板３１には、カメラ３２を囲むように白色ＬＥＤ等の照明灯３３が設置されている。撮影部３０は、このカメラ３２及び照明灯３３を備えて構成されている。
【００２８】
この撮影部３０は、後述する制御装置５０の撮影制御部５２２に接続され、該撮影制御部５２２によって制御されるようになっている。
本実施形態では、撮影部３０は、撮影制御部５２２の制御により、印刷指挿入部２０ａ内に挿入された指（印刷指Ｕ１）を撮影して当該印刷指Ｕ１の爪Ｔに対応する爪領域Ａｔ（図１１参照）を含む指画像を取得する。また、撮影部３０は、撮影制御部５２２の制御により、印刷指挿入部２０ａ内に挿入された装飾具保持部６１０を撮影して、被印刷部材載置エリア６１１に載置された装飾パーツＳｐやトレーコード６０１等を含む装飾具保持部６１０の画像（装飾パーツ画像）を取得する。
撮影部３０によって取得された画像は、適宜記憶部５１（図１０参照）等に記憶されてもよい。
【００２９】
印刷部４０は主に上部機枠１１ｂに設けられている。
すなわち、図２及び図８に示すように、上部機枠１１ｂの両側板には、２本のガイドロッド４１が平行に架設されている。このガイドロッド４１には、主キャリッジ４２が摺動自在に設置されている。また、図９に示すように、主キャリッジ４２の前壁４２ａおよび後壁４２ｂには２本のガイドロッド４４が平行に架設されている。このガイドロッド４４には、副キャリッジ４５が摺動自在に設置されている。この副キャリッジ４５の下面中央部には、印刷ヘッド４６が搭載されている。
【００３０】
印刷ヘッド４６は、後述する印刷制御部５２５の制御により、印刷指Ｕ１の爪Ｔ（一方の手の４つの指の爪Ｔａと、他方の手の親指の爪Ｔｂ）に印刷を施す他、装飾具保持部６１０に載置された装飾パーツＳｐに印刷を施す。
印刷ヘッド４６は、特に限定はされないが、例えば、インクを微滴化し、印刷対象に対して直接に吹き付けて印刷を施すインクジェット方式の印刷ヘッドである。
また、印刷ヘッド４６は、例えばイエロー、マゼンタ、シアン、ブラック等に対応した色材を含有するインクを印刷可能となっている。なお、印刷ヘッド４６により印刷されるインクの種類や数は、ここに挙げたものに限定されない。
【００３１】
主キャリッジ４２は動力伝達部（図示せず）を介してモータ４３に連結され、モータ４３の正逆回転によって、ガイドロッド４１に沿って左右方向に移動ように構成されている。また、副キャリッジ４５は動力伝達部（図示せず）を介してモータ４７に連結され、モータ４７の正逆回転によって、ガイドロッド４４に沿って前後方向に移動するように構成されている。本実施形態において、印刷ヘッド４６の可動範囲がネイルプリント装置１の印刷可能範囲であり、印刷指Ｕ１及び装飾パーツＳｐに対する印刷は、この印刷可能範囲内において行われる。
また、下部機枠１１ａには、印刷ヘッド４６にインクを供給するためのインクカートリッジ４８が設けられている。インクカートリッジ４８は、上記各インクに対応して設けられており、図示しないインク供給管を介して各印刷ヘッド４６と接続され、適宜各印刷ヘッド４６にインクを供給するようになっている。なお、印刷ヘッド４６自体にインクカートリッジを搭載する構成としてもよい。
【００３２】
印刷部４０は、これらガイドロッド４１、主キャリッジ４２、モータ４３、ガイドロッド４４、副キャリッジ４５、印刷ヘッド４６、モータ４７及びインクカートリッジ４８等を備えて構成されている。
この印刷部４０のモータ４３、印刷ヘッド４６、モータ４７は、後述する制御装置５０の印刷制御部５２５に接続され、該印刷制御部５２５によって制御されるようになっている。
【００３３】
操作部１２は、ユーザが各種入力を行うための入力部である。
本実施形態において、操作部１２には、例えば、ネイルプリント装置１の電源のＯＮ／ＯＦＦ、デザイン選択指示の入力、その他各種の入力を行うための操作釦１２１が配置されている。
【００３４】
表示部１３は、例えば液晶ディスプレイ（ＬＣＤ：Liquid Crystal Display）、有機エレクトロルミネッセンスディスプレイその他のフラットディスプレイ等で構成されている。
本実施形態では、表示部１３には、爪ＴにネイルデザインＤｎの印刷を施す爪印刷モード及び装飾パーツＳｐに装飾パーツデザインＤｓの印刷を施す装飾具印刷モードを実行するか否かを選択するためのモード選択画面（図示しない）が表示されるようになっており、ユーザが爪印刷モード及び装飾具印刷モードを実行するか否かを操作釦１２１によって選択することにより、爪印刷モード及び装飾具印刷モードを実行するか否かを選択する指示信号（モード選択指示信号）が操作部１２から後述の制御部５２に出力される。
【００３５】
さらに、表示部１３には、例えば、ユーザが操作部１２等を操作してパーツナンバーを入力するためのパーツナンバー入力画面、印刷指Ｕ１を撮影した指画像やその中の爪Ｔを表す爪領域Ａｔの画像、印刷指Ｕ１の爪Ｔに印刷されるデザイン画像（ネイルデザインＤｎ）を爪領域Ａｔに合せ込むことにより生成された爪合せ込み画像Ｇｇ（図１１参照）、パーツ被印刷面Ｐｓに印刷すべきデザイン画像（装飾パーツデザインＤｓ）をパーツ被印刷領域Ａｋに合せ込むことにより生成された装飾具合せ込み画像Ｋｋ（図１３参照）、デザイン等確認用のサムネイル画像、ネイルデザインＤｎの選択をさせる画面（ネイルデザイン選択画面）、装飾パーツデザインＤｓの選択をさせる画面（装飾パーツデザイン選択画面）、印刷指挿入部２０ａに所望の装飾具保持部６１０が挿入されているかを確認させる確認指示画面、その他、各種の指示画面等が表示されるようになっている。
なお、表示部１３の表面に、タッチパネルが一体的に構成されていてもよい。この場合には、例えば、先の尖った棒状の筆記具様であってタッチパネル表面に押し当てることにより筆記する図示しないスタイラスペンや、指先等によるタッチ操作により、表示部１３の表面をタッチすることによっても各種の入力を行うことができるように構成される。また、タッチパネルによって爪印刷モード、装飾具印刷モードのいずれかの印刷モードで印刷するかを選択できるように構成した場合には、表示部１３のタッチパネルも印刷モード選択部として機能する。
【００３６】
また、制御装置５０は、例えば上部機枠１１ｂに配置された基板３１等に設置されている。図１０は、本実施形態における制御構成を示す要部ブロック図である。
制御装置５０は、図示しないＲＯＭ（Read Only Memory）及びＲＡＭ（Random Access Memory）等で構成される記憶部５１と、図示しないＣＰＵ（Central Processing Unit）等によって構成されている制御部５２とを備えるコンピュータである。なお、記憶部５１は、制御装置５０内のＲＯＭ、ＲＡＭに限定されず、他に記憶部が設けられていてもよい。
【００３７】
この記憶部５１には、ネイルプリント装置１を動作させるための各種プログラムや各種データ等が格納されている。本実施形態において、記憶部５１には、デザインデータ記憶部５１１、パーツデータ記憶部５１２が設けられている。
【００３８】
デザインデータ記憶部５１１には、デザイン画像の元画像Ｇのデータが記憶されている。また、デザインデータ記憶部５１１には、柄、色調、雰囲気がデザイン画像に関連した関連デザイン画像Ｒの元画像Ｇのデータが当該デザイン画像の元画像Ｇのデータに対応付けられて記憶されている。
また、デザインデータ記憶部５１１に記憶されているデザイン画像の元画像Ｇのデータの数等は特に限定されない。デザイン画像の元画像Ｇのデータはデザインデータ記憶部５１１に記憶されているものに限定されず、メモリカードやＵＳＢメモリ、各種ハードディスク等、外部の記憶部からデザイン画像の元画像Ｇのデータをネイルプリント装置１に取り込んで印刷できるように構成してもよい。
【００３９】
パーツデータ記憶部５１２には、各装飾パーツＳｐのパーツ被印刷面Ｐｓの曲率、形状、大きさ等のパーツデータが各装飾パーツＳｐを特定するパーツナンバーと対応付けられて記憶されている。このパーツデータ記憶部５１２に記憶されているパーツデータは、対応するパーツナンバーに基づいて読み出し可能となっている。
例えば、図６（Ｂ）に示す装飾パーツＳｐの場合、パーツ被印刷面Ｐｓは、平面視円形（図６（Ａ）参照）であって、中央部から端部に行くほど印刷ヘッド４６との距離が大きくなるように湾曲した形状となっている。このため、パーツデータ記憶部５１２には、図６（Ｂ）に示す装飾パーツＳｐに関するパーツデータとして、当該パーツ被印刷面Ｐｓのこのような平面視における形状、大きさ、表面の湾曲の程度（曲率）等が当該パーツ被印刷面Ｐｓのパーツナンバーと対応付けられて記憶されている。
なお、パーツデータに含まれる情報は特に限定されず、例えば、パーツ被印刷面Ｐｓの色情報等が含まれていてもよい。
【００４０】
また、制御部５２は、機能的に見た場合、表示制御部５２１、撮影制御部５２２、印刷領域抽出部５２３、合せ込み画像生成部５２４、印刷制御部５２５、トレーコード読取部５２６等を備えている。これら表示制御部５２１、撮影制御部５２２、印刷領域抽出部５２３、合せ込み画像生成部５２４、印刷制御部５２５、トレーコード読取部５２６等としての機能は、制御部５２のＣＰＵと記憶部５１のＲＯＭ等に記憶されたプログラムとの共働によって実現される。
本実施形態において、制御部５２は、ユーザによって入力されたパーツナンバーに基づき、装飾具Ｓ（本実施形態では、装飾具Ｓの装飾パーツＳｐ）の形状、大きさ、印刷される面（パーツ被印刷面Ｐｓ）の曲率等のパーツデータをパーツデータ記憶部５１２から取得する。
また、制御部５２は、ユーザによって指定されたネイルデザインＤｎ（例えば、図１８（Ａ）参照）のデザイン画像の元画像Ｇのデータを取得する。さらに、制御部５２は、デザインデータ記憶部５１１から、ユーザによって指定されたネイルデザインＤｎに対応する関連デザイン画像Ｒ（図１８（Ｃ）、図１８（Ｄ）参照）の元画像Ｇのデータを取得する。
また、本実施形態では、制御部５２は撮影部３０によって撮影された画像を解析することにより、印刷指挿入部２０ａ内に印刷指Ｕ１や装飾具保持部６１０が挿入されたか否かを判断するようになっている。
【００４１】
表示制御部５２１は、表示部１３に各種の表示画面を表示させる。本実施形態では、表示制御部５２１は、例えば、印刷指Ｕ１を撮影した指画像やその中の爪Ｔを表す爪領域Ａｔの画像、装飾パーツＳｐを撮影した装飾パーツ画像やパーツ被印刷領域Ａｋの画像等を表示させる他、モード選択画面、パーツナンバーを入力するためのパーツナンバー入力画面、爪や装飾具に印刷するデザイン画像の選択画面や手挿入指示画面、装飾具保持部６１０の挿入を指示する画面（装飾具保持部挿入指示画面）等の各種の指示画面等を表示部１３に表示させるようになっている。
【００４２】
撮影制御部５２２は、印刷指挿入部２０ａに挿入されたユーザの印刷指Ｕ１の指画像等を撮影するように、撮影部３０の撮影動作を制御する。
また、撮影制御部５２２は、印刷指挿入部２０ａ内に挿入された装飾具保持部６１０を撮影して、被印刷部材載置エリア６１１に載置された装飾パーツＳｐ、トレーコード６０１等を含む装飾具保持部６１０の画像（装飾パーツ画像）を撮影するように、撮影部３０の撮影動作を制御する。
なお、本実施形態では、撮影制御部５２２は撮影部３０によって取得された画像の画像データを印刷領域抽出部５２３等に出力するものとするが、これに限定されず、例えば、記憶部５１に記憶させるようになっていてもよい。
【００４３】
印刷領域抽出部５２３は、撮影部３０によって取得された印刷指Ｕ１の指画像から、これに含まれる爪Ｔに対応する爪領域Ａｔ（図１１参照）を抽出する。
印刷領域抽出部５２３は、例えば、撮影制御部５２２から入力された指画像の中から、爪Ｔとそれ以外の指部分との色の違い等に基づいて爪領域Ａｔ（爪Ｔの輪郭）を抽出するものである。なお、印刷領域抽出部５２３が爪領域Ａｔを抽出する手法は特に限定されず、ここに挙げたものに限られない。
また、印刷領域抽出部５２３は、装飾パーツＳｐのパーツ被印刷面Ｐｓに対応する装飾具被印刷領域を取得する。本実施形態では、印刷領域抽出部５２３は、撮影部３０によって取得された装飾パーツ画像から、これに含まれるパーツ被印刷面Ｐｓに対応するパーツ被印刷領域Ａｋ（パーツ被印刷面Ｐｓの輪郭、装飾具被印刷領域、図１３参照）を抽出する。
印刷領域抽出部５２３は、例えば、撮影制御部５２２から入力された装飾パーツ画像から被印刷部材載置エリア６１１との色の違い等に基づいてパーツ被印刷領域Ａｋを精密に抽出するものである。
なお、印刷領域抽出部５２３がパーツ被印刷領域Ａｋを抽出する手法は特に限定されず、ここに挙げたものに限られない。
【００４４】
合せ込み画像生成部５２４は、爪Ｔに印刷すべきデザイン画像（ネイルデザインＤｎ）を、印刷領域抽出部５２３により抽出された爪領域Ａｔに合せ込むことにより、ネイルデザインＤｎの元画像Ｇ（ネイルデザイン元画像Ｇｎ）から爪領域Ａｔの形状に沿った爪合せ込み画像Ｇｇを生成する。
図１１は、合せ込み画像生成部５２４による爪領域Ａｔに対する爪合せ込み画像Ｇｇの生成について示した説明図である。
爪合せ込み画像Ｇｇは、ネイルデザイン元画像Ｇｎの大きさや形状をユーザの爪領域Ａｔの大きさや形状に合せて調整した画像である。
図１２に示すように、爪合せ込み画像Ｇｇの幅方向における寸法は、平面視における爪Ｔの幅方向の見かけ寸法Ｗとほぼ同じとなっている。
なお、人の爪Ｔは、幅方向の端部に行くほど印刷ヘッド４６との距離が大きくなる湾曲形状をなしている。このような湾曲した爪Ｔの表面にネイルデザインＤｎを印刷した際に、爪Ｔの幅方向の端部においてネイルデザインＤｎに歪みを生じたり濃度が薄くなったりすることを防ぐために、合せ込み画像生成部５２４は、図１２に示すように、爪Ｔの幅方向の中央部よりも幅方向の端部に相当する領域に多くの画素データが割り付けられるように調整して爪合せ込み画像Ｇｇを生成する。
【００４５】
また、合せ込み画像生成部５２４は、装飾パーツデザインＤｓを、印刷領域抽出部５２３により抽出されたパーツ被印刷面Ｐｓであるパーツ被印刷領域Ａｋに合せ込むことにより、装飾パーツデザインＤｓの元画像Ｇ（装飾パーツデザイン元画像Ｇｓ）からパーツ被印刷領域Ａｋの形状に沿った装飾具合せ込み画像Ｋｋ（図１３参照）を生成する。また、合せ込み画像生成部５２４は、ユーザが入力したパーツナンバーに基づき、パーツデータ記憶部５１２からパーツ被印刷面Ｐｓの形状、大きさ、曲率等のパーツデータを読出し取得する。
図１３は、合せ込み画像生成部５２４によるパーツ被印刷領域Ａｋに対する装飾具合せ込み画像Ｋｋの生成ついて示した説明図である。なお、ここでは、パーツ被印刷面Ｐｓに印刷すべきデザイン画像（装飾パーツデザインＤｓ）及び爪Ｔに印刷されるデザイン画像（ネイルデザインＤｎ）は同じものであり、これらの元画像Ｇである装飾パーツデザイン元画像Ｇｓ及びネイルデザイン元画像Ｇｎも同じものとする。
装飾具合せ込み画像Ｋｋは、この読み出されたパーツデータに基づいて、装飾パーツデザイン元画像Ｇｓの大きさや形状をパーツ被印刷面Ｐｓの形状、大きさ、曲率等に合せて調整した画像である。
なお、装飾具合せ込み画像Ｋｋのサイズは、平面視における装飾パーツＳｐのパーツ被印刷面Ｐｓの見かけサイズとほぼ同じとなっている。
なお、パーツ被印刷面Ｐｓは、曲面である場合がある。このような場合には、パーツ被印刷面Ｐｓの曲率の大きな部分に対して印刷された装飾パーツデザインＤｓに歪みが生じたり濃度が薄くなったりすることがある。これを防ぐために、合せ込み画像生成部５２４は、パーツデータ記憶部５１２から取得したパーツデータ（パーツ被印刷面Ｐｓの形状、大きさ、曲率等のデータ）に応じて、パーツ被印刷面Ｐｓの曲率の大きな部分に相当する領域に多くの画素データが割り付けられるように調整して装飾具合せ込み画像Ｋｋを生成する。
【００４６】
印刷制御部５２５は、印刷指挿入部２０ａに挿入された印刷指Ｕ１の爪Ｔ及び印刷指挿入部２０ａ内に配置された装飾具保持部６１０に載置された装飾パーツＳｐのパーツ被印刷面Ｐｓにデザイン画像の印刷を施すよう印刷ヘッド４６を制御する。
また、本実施形態では、印刷制御部５２５は、爪印刷モードでは、爪合せ込み画像Ｇｇのうち、爪Ｔの幅方向の中央部よりも幅方向の両端部に相当する領域の方が印刷ヘッド４６による印刷の際の印刷ピッチが細かくなるように印刷ヘッド４６を制御する。
すなわち、図１２に示すように、爪合せ込み画像Ｇｇは、その爪Ｔの幅方向の中央部に相当する領域よりも幅方向の両端部に相当する領域に多くの画素データが割り付けられており、印刷制御部５２５は、この両端部の印刷ピッチが細かくなるように印刷ピッチを調整して爪印刷用の画像（爪印刷用画像）を生成する。そして、この爪印刷用画像のデータを印刷部４０に出力することにより、印刷ヘッド４６により爪Ｔへの印刷が施されるようになっている。
また、印刷制御部５２５は、装飾具印刷モードでは、装飾具Ｓの装飾パーツＳｐのパーツ被印刷面Ｐｓが曲面を持つ場合、パーツ被印刷面Ｐｓの曲面の曲率が大きくなるほど印刷ヘッド４６による印刷の際の印刷ピッチが細かくなるように印刷ヘッド４６を制御する。
本実施形態では、印刷制御部５２５は、パーツ被印刷面Ｐｓの曲率の大きな部分のほうが曲率の小さな部分よりも多くの画素データが割り付けられた装飾具合せ込み画像Ｋｋに基づいて、この曲率の大きな部分の印刷ピッチが細かくなるように印刷ピッチを調整して装飾具印刷用の画像（装飾具印刷用画像）を生成する。そして、この装飾具印刷用画像のデータを印刷部４０に出力することにより、印刷ヘッド４６によりパーツ被印刷面Ｐｓへの印刷が施されるようになっている。
【００４７】
なお、印刷制御部５２５が爪印刷用画像及び装飾具印刷用画像を生成することは本発明の必須の構成要素ではない。例えば、爪印刷用画像及び装飾具印刷用画像の画像データを別途生成せずに、爪合せ込み画像Ｇｇ及び装飾具合せ込み画像ＫｋのデータをＬＵＴ（Lookup Table）等により適宜変換しつつ印刷部４０に出力して印刷制御を行ってもよい。
爪印刷用画像において、両端部の印刷ピッチをどの程度細かくするか等は特に限定されないが、例えば、幅方向の中央部分の印刷ピッチが６００ｄｐｉである場合に左右の最端部の印刷ピッチを２４００ｄｐｉとし、その中間部分の印刷ピッチを１２００ｄｐｉとする。なお、印刷ピッチの設定は爪Ｔの表面の曲率に合せて端部に行くほど徐々に印刷ピッチが細かくなるように複数段階に変化するようにしてもよい。また、印刷ピッチは印刷ヘッド４６の印刷ピッチに合せて設定され、例えば印刷ヘッド４６で印刷可能な印刷ピッチの上限が１８００ｄｐｉである場合には、左右の最端部の印刷ピッチを１８００ｄｐｉとする。
このように、爪Ｔの両端部に相当する領域の印刷ピッチを細かくすることによって、両端部が印刷ヘッド４６から遠ざかる方向に湾曲している爪Ｔに印刷する場合でも、端部までネイルデザインＤｎに歪みが生じず、濃度も低下しない高精細な画像を印刷することができる。
【００４８】
また、装飾具印刷用画像においても、曲率の大きな部分の印刷ピッチをどの程度細かくするか等は特に限定されないが、例えば、パーツ被印刷面Ｐｓの曲率のない平面の部分の印刷ピッチが６００ｄｐｉである場合にパーツ被印刷面Ｐｓの最も曲率の大きな部分の印刷ピッチを２４００ｄｐｉとし、その中間部分の印刷ピッチを１２００ｄｐｉとする。なお、本実施形態においては、パーツ被印刷面Ｐｓに対応した曲率がパーツナンバーに対応してパーツデータ記憶部５１２に記憶されており、印刷ピッチの設定は、この曲率に基づいて行われる。また、印刷ピッチは、印刷ヘッド４６の印刷ピッチに合せて設定され、例えば、印刷ヘッド４６で印刷可能な印刷ピッチの上限が１８００ｄｐｉである場合には、装飾パーツＳｐの最も曲率の大きな部分の印刷ピッチを１８００ｄｐｉとする。このように、装飾パーツＳｐの曲率の大きな部分の印刷ピッチを細かくすることによって、曲面を持つパーツ被印刷面ＰＳに印刷する場合でも、装飾パーツデザインＤｓに歪みが生じず、濃度も低下しない高精細な画像を印刷することができる。
【００４９】
トレーコード読取部５２６は、撮影部３０によって取得された画像からトレーコード６０１を抽出する。また、トレーコード読取部５２６は、抽出されたトレーコード６０１を解析し、トレーコード６０１に含まれている情報（トレー情報）を取得する。
【００５０】
次に、図１４を参照しつつ、本実施形態におけるネイルプリント装置１の作用について説明する。
図１４は、本実施形態における印刷処理の全体の流れを示すフローチャートである。
電源がＯＮとなり、制御装置５０が起動すると、表示制御部５２１は、爪印刷モードを実行するか否か及び装飾具印刷モードを実行するか否かをユーザに選択を指示するモード選択画面を表示させる（ステップＳ１）。ユーザが操作釦１２１等を操作して、爪印刷モードを実行するか否か及び装飾具印刷モードを実行するか否かを選択すると、操作部１２からモードの選択を指示するモード選択指示信号が制御部５２に出力される。
次に、制御部５２は、モード選択指示信号に基づき、爪印刷モードが選択されたか否かを判断し（ステップＳ２）、爪印刷モードが選択されたと判断した場合（ステップＳ２；ＹＥＳ）には、爪印刷モードによる印刷処理を行う（ステップＳ３）。また、爪印刷モードが選択されなかったと判断した場合（ステップＳ２；ＮＯ）には、爪印刷モードによる印刷処理を行わず、制御部５２は、モード選択指示信号に基づき、装飾具印刷モードが選択されたか否かを判断する（ステップＳ４）。
【００５１】
装飾具印刷モードが選択されたと判断した場合（ステップＳ４；ＹＥＳ）には、装飾具印刷モードによる印刷処理を行い（ステップＳ５）、装飾具印刷モードによる印刷処理が終了した後、制御部５２は、ネイルプリント装置１による印刷処理を終了する。
また、装飾具印刷モードが選択されなかったと判断した場合（ステップＳ４；ＮＯ）には、装飾具印刷モードによる印刷処理を行わず、制御部５２は、ネイルプリント装置１による印刷処理を終了する。
【００５２】
図１５は、爪印刷モードによる印刷処理（図１４におけるステップＳ３）を示すフローチャートである。
なお、本実施形態のネイルプリント装置１では、印刷指挿入部２０ａに挿入された左右の手の複数の印刷指Ｕ１の爪Ｔ（一方の手の４つの指の爪Ｔａと、他方の手の親指の爪Ｔｂ）に同時に印刷が施される。ここで「同時に印刷」とは、一度に印刷指挿入部２０ａに挿入した印刷指Ｕ１を取り出すことなく印刷できることを意味している。
【００５３】
図１５に示すように、爪印刷モードにおいて、表示制御部５２１は、ネイルデザインＤｎの選択を指示するネイルデザイン選択画面（図示せず）を表示部１３に表示させる（ステップＳ１０）。ネイルデザイン選択画面には、ユーザがネイルデザインＤｎを選択、指定するための決定釦（図示せず）が設けられており、ユーザが、爪Ｔに印刷したいいずれかのデザイン画像にタッチして決定釦を操作することで、所望のデザイン画像を選択し、当該選択されたデザイン画像を爪に印刷するデザイン画像（ネイルデザインＤｎ）として指定することができる。
制御部５２は、ネイルデザインＤｎが指定されたか否かを判断し（ステップＳ１１）、ネイルデザインＤｎが指定されていないと判断した場合（ステップＳ１１；ＮＯ）には、ステップＳ１１の判断処理を繰り返す。
他方、ネイルデザインＤｎが指定されたと判断した場合（ステップＳ１１；ＹＥＳ）には表示制御部５２１は、表示部１３にネイルプリント装置１の印刷指挿入部２０ａ内に手（印刷指Ｕ１）を挿入するよう指示する手挿入指示画面を表示させる（ステップＳ１２）。なお、ユーザの爪Ｔには、アンダーコート剤が塗布されていてもよい。この場合、塗布されたアンダーコート剤を乾燥させてから印刷指挿入部２０ａ内に手（印刷指Ｕ１）が挿入されることが好ましい。
撮影制御部５２２は、撮影部３０に随時印刷指挿入部２０ａ内を撮影させ、画像を取得し、取得した画像を制御部５２に出力する。制御部５２は、撮影制御部５２２から出力された画像に基づいて、印刷指挿入部２０ａ内にユーザの手（印刷指Ｕ１）が挿入されたか否かを判断する（ステップＳ１３）。印刷指挿入部２０ａ内に手（印刷指Ｕ１）が挿入されていないと判断した場合（ステップＳ１３；ＮＯ）には、挿入されるまでステップＳ１３の判断処理を繰り返す。
【００５４】
他方、印刷指挿入部２０ａ内に手（印刷指Ｕ１）が挿入されたと判断した場合（ステップＳ１３；ＹＥＳ）には、撮影制御部５２２は、撮影部３０に印刷指挿入部２０ａ内に挿入されている印刷指Ｕ１の爪領域Ａｔを含む指画像を撮影させ、制御部５２にこの撮影された指画像を出力する。制御部５２は、撮影制御部５２２から入力された当該指画像をプレスキャンすることにより、挿入されている印刷指Ｕ１の本数、位置情報を取得するとともに、各印刷指Ｕ１の爪領域Ａｔの凡その位置や範囲を予備的に抽出する（ステップＳ１４）。プレスキャンが完了すると、制御部５２は、いずれかの印刷指Ｕ１（例えば図４（Ａ）において右端に位置する右手の親指）を１本目のターゲットとして、当該印刷指Ｕ１にカメラ３２の照準を合せる（図１５において「ポインタをセット」、ステップＳ１５）。そして、当該印刷指Ｕ１を撮影し、再スキャンを行う（ステップＳ１６）。すなわち、印刷領域抽出部５２３は、撮影部３０によって取得された当該印刷指Ｕ１の指画像から爪Ｔの爪領域Ａｔを精密に抽出する。
【００５５】
爪領域Ａｔが抽出されると、合せ込み画像生成部５２４は、ユーザが選択したネイルデザインＤｎをこの爪領域Ａｔに合せ込んで大きさ等を合せ、爪合せ込み画像Ｇｇを生成する（ステップＳ１７、図１１参照）。さらに、印刷制御部５２５は、爪合せ込み画像Ｇｇのうち、爪Ｔの幅方向の中央部よりも幅方向の両端部に相当する領域の方が印刷ヘッド４６による印刷の際の印刷ピッチが細かくなるように調整された爪印刷用画像を生成する（ステップＳ１８、図１１及び図１２参照）。その後、印刷制御部５２５は、印刷ヘッド４６を制御して、色をつける部分に対して印刷ヘッド４６によって印刷する（ステップＳ１９）。
【００５６】
制御部５２は、全ての印刷指Ｕ１について印刷が終了したか否かを判断し（ステップＳ２０）、印刷が終了していない印刷指Ｕ１があると判断した場合（ステップＳ２０；ＮＯ）には、印刷が終了していないいずれかの印刷指Ｕ１（例えば先に印刷した指の隣の指。右側から順に印刷する場合には、図４（Ａ）において左手の人差し指）にカメラ３２の照準を合せて（すなわち「ポインタをセット」して、ステップＳ２１）、ステップＳ１６からステップＳ２０の処理を繰り返す。
他方、全ての印刷指Ｕ１について印刷が終了したと判断した場合（ステップＳ２０；ＹＥＳ）には、さらに、両手の全指の印刷が終了したか否かを判断し（ステップＳ２２）、両手の全指の印刷が終了した場合（ステップＳ２２；ＹＥＳ）には、印刷処理を終了する。
他方、印刷が終了していない手の指があると判断した場合（ステップＳ２２；ＮＯ）には、当該手の指を印刷指挿入部２０ａ内に挿入するように手挿入指示画面を表示部１３に表示させる（ステップＳ２３）。そして、ステップＳ１３からステップＳ２２までの処理を繰り返す。
【００５７】
図１６は、装飾具印刷モードによる印刷処理（図１４におけるステップＳ５）を示すフローチャートである。
なお、本実施形態のネイルプリント装置１では、印刷指挿入部２０ａに挿入された装飾具保持部６１０の被印刷部材載置エリア６１１に載置された複数の装飾パーツＳｐに同時に印刷が施される。ここで「同時に印刷」とは、一度に印刷指挿入部２０ａに挿入された装飾具保持部６１０の被印刷部材載置エリア６１１に載置された複数の装飾パーツＳｐを取り出すことなく印刷できることを意味している。
【００５８】
装飾具印刷モードでは、表示制御部５２１は、表示部１３にネイルプリント装置１の印刷指挿入部２０ａ内に被印刷部材載置エリア６１１に装飾パーツＳｐが載置された装飾具保持部６１０を挿入するよう指示する装飾具保持部挿入指示画面を表示させる（ステップＳ３１）。
撮影部３０は、随時印刷指挿入部２０ａ内を撮影して、取得した画像を制御部５２に送り、制御部５２は、撮影部３０から出力された画像に基づいて、印刷指挿入部２０ａ内に装飾具保持部６１０が挿入されたか否かを判断する（ステップＳ３２）。印刷指挿入部２０ａ内に装飾具保持部６１０が挿入されていないと判断した場合（ステップＳ３２；ＮＯ）には、挿入されるまでステップＳ３２の判断処理を繰り返す。
【００５９】
他方、印刷指挿入部２０ａ内に装飾具保持部６１０が挿入されたと判断した場合（ステップＳ３２；ＹＥＳ）には、撮影制御部５２２は、撮影部３０を制御して、装飾具保持部６１０のパーツ被印刷領域Ａｋを含む装飾パーツ画像を撮影する。制御部５２は、この画像をプレスキャンすることにより、装飾パーツＳｐの個数、各装飾パーツＳｐの凡その位置や範囲等を予備的に抽出する（ステップＳ３３）。なお、この際、表示制御部５２１は、表示部１３にこのプレスキャン画像を表示させてもよい。これにより、ユーザはトレーナンバー６０２を視認し、現在印刷指挿入部２０ａ内に挿入されている装飾具保持部６１０が所望のものであるか否かを確認できる。
プレスキャンが完了すると、トレーコード読取部５２６は、撮影部３０によって取得された画像からトレーコード６０１を抽出する。このトレーコード読取部５２６は、抽出されたトレーコード６０１を読み取り、トレーコード６０１に含まれている情報（トレー情報）を取得する（ステップＳ３４）。
【００６０】
次に、表示制御部５２１は、取得したトレー情報に含まれるトレーナンバー６０２を表示部１３に表示させ、所望の装飾具保持部６１０であることに間違いないかをユーザに確認させる確認指示画面を表示部１３に表示させる（ステップＳ３５）。ユーザは、この確認指示画面を確認して、内容に間違いがなければ、図示しない「ＯＫ釦」を操作する等、確認内容を承認する操作を行う。
また、ユーザは、印刷指挿入部２０ａに挿入された装飾具保持部６１０が所望のものとは異なった場合、図示しない「ＮＯ釦」を操作する等、確認内容を非承認する操作を行う。
次に、制御部５２は、印刷指挿入部２０ａに挿入された装飾具保持部６１０が所望のものか否か、すなわち、ユーザが操作部１２等から確認内容を承認する操作をしたか、非承認する操作をしたかを判断する（ステップＳ３６）。
【００６１】
ユーザが確認内容を非承認する操作をしたと判断した場合、すなわち、印刷指挿入部２０ａに挿入された装飾具保持部６１０が所望のものではないと判断した場合（ステップＳ３６；ＮＯ）には、表示制御部５２１は、装飾具保持部６１０を印刷指挿入部２０ａから取り外すよう指示する画面を表示部１３に表示させる（ステップＳ３７）。次に、撮影部３０は随時印刷指挿入部２０ａ内を撮影して、取得した画像を制御部５２に送り、制御部５２は、撮影部３０から出力された画像に基づいて、印刷指挿入部２０ａから装飾具保持部６１０が取り外されたか否かを判断する（ステップＳ３８）。印刷指挿入部２０ａから装飾具保持部６１０が取り外されていないと判断した場合（ステップＳ３８；ＮＯ）には、取り外されるまでステップＳ３８の判断処理を繰り返す。
また、印刷指挿入部２０ａから装飾具保持部６１０が取り外されたと判断した場合（ステップＳ３８；ＹＥＳ）には、ステップＳ３１に戻り、表示制御部５２１は、装飾具保持部挿入指示画面を表示させ、ユーザに装飾具保持部６１０を挿入するよう指示する。
【００６２】
また、ユーザが確認内容を承認する操作をした場合、すなわち、印刷指挿入部２０ａに挿入された装飾具保持部６１０が所望のものであると判断した場合（ステップＳ３６；ＹＥＳ）には、表示制御部５２１は、表示部１３にパーツナンバー入力画面を表示させる（ステップＳ３９）。ユーザは、操作釦１２１を操作することで、被印刷部材載置エリア６１１に載置した装飾パーツＳｐを特定するパーツナンバーを入力する。ユーザにより入力されたパーツナンバーは操作部１２から制御部５２に出力される。
制御部５２は、このパーツナンバーが操作部１２から入力されたか否かによりユーザがパーツナンバーを入力したか否かを判断する（ステップＳ４０）。ユーザがパーツナンバーを入力していないと判断した場合、すなわち、制御部５２にパーツナンバーが入力されなかった場合（ステップＳ４０：ＮＯ）、ユーザがパーツナンバーを入力するまでステップＳ４０の判断処理を繰り返す。
また、ユーザがパーツナンバーを入力したと判断した場合、すなわち、制御部５２にパーツナンバーが入力された場合（ステップＳ４０：ＹＥＳ）、当該パーツナンバーに基づき、制御部５２は、パーツ被印刷面Ｐｓの形状、大きさ、印刷される面（パーツ被印刷面Ｐｓ）の曲率等のパーツデータを含むパーツデータをパーツデータ記憶部５１２から取得する（ステップＳ４１、パーツデータ取得）。次に、表示制御部５２１は、ユーザに当該装飾具に印刷されるデザイン画像（装飾パーツデザインＤｓ）をユーザに選択させる装飾パーツデザイン選択画面を表示部１３に表示させる（ステップＳ４２）。装飾パーツデザイン選択画面には、ユーザが装飾パーツデザインＤｓを選択、指定するための決定釦（図示しない）が設けられており、ユーザが、装飾パーツＳｐに印刷したい、いずれかのデザイン画像（ネイルデザインＤｎと関連デザイン画像Ｒ）にタッチして決定釦を押すことで、装飾パーツデザインＤｓが指定される。なお、装飾パーツデザイン選択画面は、ユーザが操作釦１２１等を操作することで、装飾パーツデザインＤｓの背景色を変えたり、装飾パーツデザインＤｓに含まれる柄（例えば、花柄などの柄）の数や大きさを変える等、装飾パーツデザインＤｓをアレンジできるようになっていてもよい。
また、爪印刷モード及び装飾具印刷モードの両方が選択された場合、ネイルデザインＤｎに対応する関連デザイン画像Ｒがデフォルトとして装飾パーツデザインＤｓとして指定されてもよい。これにより、ユーザがデザイン画像を選択したり、アレンジしたりする手間が省け便利である。なお、この場合、当該関連デザイン画像Ｒを表示させ、ユーザの承認を求める画面を表示部１３に表示させてもよい。
【００６３】
制御部５２は、装飾パーツＳｐに印刷する装飾パーツデザインＤｓが指定されたか否かを判断し（ステップＳ４３）、装飾パーツデザインＤｓが指定されていないと判断した場合（ステップＳ４３；ＮＯ）には、装飾パーツデザインＤｓが指定されるまでステップＳ４３の判断処理を繰り返す。
【００６４】
他方、装飾パーツデザインＤｓが指定されたと判断した場合（ステップＳ４３；ＹＥＳ）には、制御部５２は、いずれかの装飾パーツＳｐを１つ目のターゲットとして、当該装飾パーツＳｐにカメラ３２の照準を合せる（「ポインタをセット」、ステップＳ４４）。そして、当該装飾パーツＳｐを撮影し、再スキャンを行う（ステップＳ４５）。すなわち、印刷領域抽出部５２３は、撮影部３０によって取得された当該装飾パーツＳｐの装飾パーツ画像からパーツ被印刷領域Ａｋを精密に抽出する。
【００６５】
パーツ被印刷領域Ａｋが抽出されると、合せ込み画像生成部５２４は、ユーザが選択した装飾パーツデザインＤｓをこのパーツ被印刷領域Ａｋに合せ込んで大きさ等を合せ、装飾具合せ込み画像Ｋｋを生成する（ステップＳ４６、図１３参照）。次に、印刷制御部５２５は、パーツデータに含まれるパーツ被印刷面Ｐｓの曲率に基づいて調整された装飾具印刷用画像を生成する。ここでは、装飾具合せ込み画像Ｋｋのうち、装飾パーツＳｐの中央部よりも端部に相当する領域の方が印刷ヘッド４６による印刷の際の印刷ピッチが細かくなるよう調整された装飾具印刷用画像を生成する（ステップＳ４７）。その後、印刷制御部５２５は、印刷ヘッド４６によってこの調整された装飾具印刷用画像をパーツ被印刷面Ｐｓに印刷する（ステップＳ４８）。
【００６６】
制御部５２は、全ての装飾パーツＳｐについて印刷が終了したか否かを判断し（ステップＳ４９）、印刷が終了していない装飾パーツＳｐがあると判断した場合（ステップＳ４９；ＮＯ）には、印刷が終了していないいずれかの装飾パーツＳｐ（例えば、左側から順に印刷する場合であれば、図６（Ａ）においてハート型の装飾パーツＳｐ）にカメラ３２の照準を合せて（すなわち「ポインタをセット」して、ステップＳ５０）、ステップＳ４５からステップＳ４９の処理を繰り返す。
他方、全ての装飾パーツＳｐについて印刷が終了したと判断した場合（ステップＳ４９；ＹＥＳ）には、装飾具印刷モードによる印刷処理を終了する。
なお、この後、ユーザは装飾具保持部６１０から装飾パーツＳｐを取り出し、パーツ被印刷面Ｐｓにコーティング剤を塗布してもよい。なお、このコーティング剤は、特に限定されないが、印刷された装飾パーツデザインＤｓを傷つきにくくするほか、耐水、艶出しの効果があるものが好ましい。
次に、図１７（Ａ）及び図１７（Ｂ）に示すように、印刷済みの装飾パーツＳｐがユーザによってピアスなどの装飾具枠Ｓｆに取り付けられることにより、装飾具Ｓが完成する。
【００６７】
このように、本実施形態の被印刷部材載置エリア６１１には、装飾具Ｓから取り外された装飾パーツＳｐのみを載置できるため、装飾具Ｓがリング、球、ラインストーン等の装飾のある枠や留め具Ｃ（図１８（Ｂ）参照）等が付いていて装飾具Ｓ全体としては印刷指挿入部２０ａに入らないような場合等であっても印刷が可能である。また、装飾パーツＳｐのみ被印刷部材載置エリア６１１に載置するため、装飾や留め具Ｃ等を汚すことなく装飾パーツデザインＤｓを印刷することができる。このため、例えば、指輪、イヤリング、ペンダント、ストラップ、キーホルダー、３連のピアス、ブレスレット、ブローチ、帯留、髪止等各種の装飾具ＳをネイルデザインＤｎと統一感のあるデザインで作成できるため、様々なファッションを楽しむことができる。
【００６８】
以上のように、第１の実施形態によれば、印刷指挿入部２０ａに装飾パーツＳｐを被印刷部材載置エリア６１１に載置した装飾具保持部６１０を挿入することで、爪に印刷されたネイルデザインＤｎを装飾パーツＳｐに印刷することができる。このため、図１８（Ａ）及び図１８（Ｂ）に示すように、爪とお揃いのピアス等の装飾具Ｓが簡単に作れる等、爪に印刷されるデザイン画像と装飾具Ｓとの間に容易に統一感を付与させることができ、ファッションを楽しむことができる。
さらに、図１８（Ｃ）及び図１８（Ｄ）に示すように、ネイルデザインＤｎに柄、色調、雰囲気が関連した関連デザイン画像Ｒを装飾パーツＳｐに印刷にすることもできるため、気分やＴＰＯに合せて手軽にバリエーション豊かなファッションを楽しむことができる。また、ユーザがすでに持っている装飾具ＳのデザインにネイルデザインＤｎを合せなくてよいため、ネイルデザインＤｎを自由に選ぶことができて、便利であり、おしゃれをより楽しむことができる。
また、装飾具保持部６１０の被印刷部材載置エリア６１１に載置されることによって、装飾パーツＳｐのパーツ被印刷面Ｐｓの位置及び高さは、印刷ヘッド４６が印刷可能な位置及び高さとなる。このため、印刷ヘッド４６の高さ方向を調整可能とする等の特殊な構成をとることなく装飾パーツＳｐに印刷できるため、製造コストを抑えて簡易に装置を製造することができる。
また、装飾具保持部６１０は、印刷指挿入部２０ａ内から挿脱可能に設けられているため、装飾パーツＳｐの高さに合せて装飾具保持部６１０を変えることができる。このため、様々な高さのパーツ被印刷面Ｐｓに対して印刷できるため、印刷できる装飾具Ｓのバリエーションが増え、よりファッションを楽しむことができる。
また、印刷制御部５２５は、曲率に基づいて調整された装飾具印刷用画像を生成し、これに基づいて、装飾パーツＳｐに印刷を施す。このため、曲面を持つ装飾パーツＳｐに対しても、装飾パーツデザインＤｓに歪みが生じたり濃度が薄くなったりすることなく綺麗に印刷することができる。このため、ネイルプリント装置１は、様々な形状をした装飾パーツＳｐにデザイン画像を印刷することができる。例えば、図６（Ａ）に示すような、円形だけでなく楕円形やハート型等の装飾パーツＳｐであっても印刷可能である。また、曲率に応じて印刷ピッチを調節するため、パーツ被印刷面Ｐｓが曲率の大きな曲面であっても曲率のない平面であっても、歪みのない画像を綺麗に印刷することが可能である。このように、様々な曲率を持った装飾パーツＳｐに印刷でき、ユーザは、ネイルデザインＤｎに合う様々な装飾具Ｓを身につけることができるため、さらにファッションを楽しむことができる。
【００６９】
なお、本実施形態では、被印刷部材載置エリア６１１が装飾具保持部６１０の奥側に形成された平面視略矩形の凹部である場合を例示したが、被印刷部材載置エリア６１１の設けられる位置、大きさ、形状等は特に限定されず、印刷ヘッド４６によって印刷可能な位置及び高さ（ここでは、印刷指Ｕ１が指載置部２０ｃに載置された際の爪Ｔと略同一の高さ、とする。）に装飾パーツＳｐの印刷される面（パーツ被印刷面Ｐｓ）が載置されるような形状であればよい。例えば、被印刷部材載置エリア６１１は、平面視略円形の凹部であってもよいし、高さの低いパーツ被印刷面Ｐｓを印刷可能な高さまで上げる凸部であってもよい。
【００７０】
また、本実施形態では、被印刷部材載置エリア６１１全体が平坦に形成されている場合を例示したが、被印刷部材載置エリア６１１の形状はこれに限定されず、高さの異なる複数の段を有する階段状に形成されていてもよい。被印刷部材載置エリア６１１を階段状に形成した場合には、高さ（厚み）の異なる装飾パーツＳｐを１つの装飾具保持部６１０によって印刷可能な位置及び高さに保持できるため、印刷面の高さの異なる装飾パーツＳｐを一度に印刷することができるため好ましい。
さらに、装飾具保持部６１０を複数重ねることで高さを調整できるようにしてもよい。このように、装飾具保持部６１０を積み重ねて高さを調整できるようにした場合には、積み重ねる装飾具保持部６１０の種類や数によって様々な高さ（厚み）の装飾パーツＳｐのパーツ被印刷面Ｐｓを印刷可能な高さに合わせることができ、便利である。
【００７１】
また、本実施形態では、ネイルデザインＤｎと装飾パーツデザインＤｓの選択を爪印刷モード及び装飾具印刷モードにおいて行う場合（図１５のステップＳ１０、図１６のステップＳ４２）を例として説明したが、これに限定されず、モード選択画面が表示された際（図１４のステップＳ１）に、これらの選択を行うものとしてもよい。この際、パーツナンバーもユーザに入力させ、合せ込み画像生成部５２４は、ステップＳ１７による爪合せ込み画像Ｇｇ及びステップＳ４６による装飾具合せ込み画像Ｋｋを生成させる構成とすることが好ましい。この場合、表示制御部５２１は、爪合せ込み画像Ｇｇ及び装飾具合せ込み画像Ｋｋを印刷前に表示部１３に表示させ、印刷されるネイルデザインＤｎ及び装飾パーツデザインＤｓのイメージをユーザに確認させるものとしてもよい。このような構成をとることにより、ユーザは、印刷を施す前に服装や鞄等、ＴＰＯに合せたネイルデザインＤｎと装飾パーツデザインＤｓとの検討及び確認ができる。
さらに、記憶部５１にユーザが予め持っている装飾具Ｓのイメージ画像を記憶させておき、表示制御部５２１は、このイメージ画像と装飾具合せ込み画像Ｋｋとを合成して、図１９に示すように、ネイルデザインＤｎが印刷された爪Ｔ及び装飾パーツデザインＤｓが印刷された装飾パーツデザインＤｓのイメージ画像を印刷前に表示部１３に表示させてもよい。これにより、ユーザは、印刷されるネイルデザインＤｎ及び装飾具Ｓをよりイメージしやすくなる。また、この場合、編集釦Ｅを操作するなどすると、表示制御部５２１は、図２０の様に、ユーザが予め持っている装飾具Ｓの装飾具枠Ｓｆに装飾パーツデザインＤｓの背景色や柄（例えば、花柄などの柄）の色の変わった関連デザイン画像Ｒを表示部１３に表示させてもよい。このようにすることで、印刷する前に服装や鞄等、ＴＰＯに合せたネイルデザインＤｎと装飾パーツデザインＤｓとの検討及び確認をすることができる。また、この場合、確認した結果、ユーザが所望するものと違うと判断すれば、所定の操作をすることでデザインを変更できるようにしてもよい。これにより、ネイルデザインＤｎだけではなく、ユーザの全体の服装等とも統一感のある装飾具Ｓを作ることができ、便利である。
【００７２】
［第２の実施形態］
次に、図２１及び図２２を参照しつつ、本発明に係るネイルプリント装置の第２の実施形態について説明する。なお、本実施形態は、装飾具保持部６２０の構成のみが第１の実施形態と異なるものであるため、以下においては、特に第１の実施形態と異なる点について説明する。
【００７３】
図２１（Ａ）は、第２の実施形態における装飾具保持部６２０の平面図であり、図２１（Ｂ）は、図２１（Ａ）における装飾具保持部６２０のＢ−Ｂ線断面図である。
この第２の実施形態の被印刷部材載置エリア６２１は、図２１（Ｂ）等に示すように、各装飾パーツＳｐの表面（パーツ表面）の形状に対応して湾曲して複数形成されている点で第１の実施形態の被印刷部材載置エリア６２１とは異なる。
各被印刷部材載置エリア６２１には、各被印刷部材載置エリア６２１に対応する装飾具保持部番号６２２が付されている。
本実施形態において、被印刷部材載置エリア６２１には、図２１（Ａ）に示すように、装飾具Ｓから取り外された透明の装飾パーツＳｐが表面側（パーツ表面側）から載置される。これにより、本実施形態では、透明な装飾パーツＳｐの裏面がパーツ被印刷面Ｐｓとなる。
このように、本実施形態のネイルプリント装置１は、装飾パーツＳｐの裏面に装飾パーツデザインＤｓを印刷するようになっている。これにより、装飾パーツＳｐを装飾具Ｓに装着した場合に、パーツ被印刷面Ｐｓは、装飾具Ｓの表面にならない。このため、パーツ被印刷面Ｐｓに印刷された装飾パーツデザインＤｓにコーティング剤を塗布しなくても、印刷された装飾パーツデザインＤｓが傷つきにくくなるため、手間がかからず便利である。
【００７４】
なお、装飾パーツＳｐの材料は特に限定されないが、例えば、光沢が良く、傷などにも強い透明樹脂等で形成されていることが好ましい。
また、被印刷部材載置エリア６２１の個数は、図示例のように４つであることに限定されず、４つよりも多くてもよいし、少なくてもよい。
【００７５】
また、本実施形態のトレーコード６０１に含まれる情報（トレー情報）には、装飾具保持部番号６２２と、各装飾具保持部番号６２２に対応する各被印刷部材載置エリア６２１の位置座標（すなわち、パーツ被印刷領域Ａｋ）がさらに含まれている。
【００７６】
また、本実施形態の印刷領域抽出部５２３は、装飾具保持部番号６２２に基づいてトレー情報からパーツ被印刷領域Ａｋを取得する。このように、本実施形態のネイルプリント装置１では、印刷領域抽出部５２３がパーツ被印刷領域Ａｋを装飾パーツ画像から抽出するものではないため、透明な装飾パーツＳｐであっても予め色を塗る等の表面処理をする必要がない。これにより、透明な装飾パーツＳｐであっても表面処理をせずに印刷することができるため、手間がかからず便利である。
【００７７】
また、図２１に示すように、本実施形態の被印刷部材載置エリア６２１には、装飾具保持部６２０の上面から下面に貫通した孔部６２３が形成されている。これにより、被印刷部材載置エリア６２１に載置された装飾パーツＳｐが密着しないため、ユーザは、当該装飾パーツＳｐを被印刷部材載置エリア６２１から容易に取り出すことができる。また、下面から孔部６２３を介して細い棒などによって印刷後の装飾パーツＳｐ等を押し上げることもできるため、被印刷部材載置エリア６２１から装飾パーツＳｐをユーザが容易に取り外すことができ、便利である。
なお、被印刷部材載置エリア６２１に孔部６２３が形成されることは、本発明の必須の構成要素ではなく、孔部６２３を設けなくてもよい。
【００７８】
なお、その他の構成は、第１の実施形態で説明したものと同様であるため、同一部材には同一の符号を付してその説明を省略する。
【００７９】
次に、図２２を参照しつつ、第２の実施形態の装飾具印刷モードにおける処理について説明する。
図２２は、第２の実施形態の装飾具印刷モードにおける処理を示すフローチャートである。
なお、ステップＳ５１からステップＳ５８までの処理は、第１の実施形態のステップＳ３１からステップＳ３８までと同様であるため、重複する部分の説明は省略する。
【００８０】
ユーザが確認内容を承認する操作をし、制御部５２が、印刷指挿入部２０ａに挿入された装飾具保持部６２０が所望のものであると判断した場合（ステップＳ５６；ＹＥＳ）には、表示制御部５２１は、装飾パーツＳｐを載置した装飾具保持部番号６２２と当該装飾パーツＳｐを特定するパーツナンバーとを入力させる画面を表示部１３に表示させる（ステップＳ５９）。ユーザは、操作釦１２１を操作することで、装飾パーツＳｐを載置した装飾具保持部番号６２２と当該装飾パーツＳｐを特定するパーツナンバーとを入力する。
操作部１２は、ユーザが入力した装飾パーツＳｐを載置した装飾具保持部番号６２２と当該装飾パーツＳｐを特定するパーツナンバーとを対応付けて制御部５２に出力する。なお、その後のステップＳ６０からステップＳ６２までの処理は第１の実施形態のステップＳ４０からステップＳ４２までと同様であるため説明を省略する。
【００８１】
制御部５２は装飾パーツデザインが指定されたか否かを判断し（ステップＳ６３）、装飾パーツデザインが指定されたと判断した場合（ステップＳ６３；ＹＥＳ）には、印刷領域抽出部５２３は、装飾具保持部番号６２２に基づいてトレー情報からパーツ被印刷領域Ａｋを取得する。次に、合せ込み画像生成部５２４は、ユーザが選択した装飾具に印刷されるデザイン画像をこのパーツ被印刷領域Ａｋに合せ込んで大きさ等を調整し、装飾具合せ込み画像Ｋｋを生成する（ステップＳ６４）。なお、本実施形態では、装飾パーツＳｐの裏面、すなわち曲率のない平坦な面がパーツ被印刷面Ｐｓとなるため、装飾パーツデザインＤｓの曲率に基づく補正は行われない。
以下、ステップＳ６５からステップＳ６６までの処理は、第１の実施形態のステップＳ４８からステップＳ４９までの処理と同じであるため説明を省略する。
【００８２】
制御部５２は、全ての装飾パーツＳｐについて印刷が終了したか否かを判断し（ステップＳ６６）、印刷が終了していない装飾パーツＳｐがあると判断した場合（ステップＳ６６；ＮＯ）には、印刷が終了していないいずれかの装飾パーツＳｐに対してステップＳ６４からの処理を行う。
他方、全ての装飾パーツＳｐについて印刷が終了したと判断した場合（ステップＳ６６；ＹＥＳ）には、装飾具印刷モードによる印刷処理を終了する。
【００８３】
なお、その他の点については、第１の実施形態と同様であることから、その説明を省略する。
【００８４】
このように構成されたネイルプリント装置１によっても第１の実施形態のネイルプリント装置１と同様の効果を得ることができる。
【００８５】
なお、トレー情報には、各装飾具保持部番号６２２に対応する各被印刷部材載置エリア６２１の位置座標（すなわち、パーツ被印刷領域Ａｋ）が含まれるものとしたが、これに限定されず、パーツ被印刷領域Ａｋが含まれていなくてもよい。この場合、例えば、パーツ被印刷領域Ａｋに対応する装飾具保持部６１０の種類ごとの各装飾具保持部番号６２２に対応付けられて、パーツ被印刷領域Ａｋが記憶部５１等に記憶されていることが好ましい。
【００８６】
［第３の実施形態］
次に、図２３から図２５を参照しつつ、本発明に係るネイルプリント装置の第３の実施形態について説明する。なお、本実施形態は、装飾具保持部の構成のみが第１の実施形態等と異なるものであるため、以下においては、特に第１の実施形態等と異なる点について説明する。
【００８７】
図２３（Ａ）は、第３の実施形態における装飾具保持部６３０の平面図であり、図２３（Ｂ）は、図２３（Ａ）における装飾具保持部６３０のＣ−Ｃ線断面図である。
この第３の実施形態のネイルプリント装置１が印刷する装飾パーツＳｐは、厚み方向に貫通して形成された孔部Ｓｋを備える透明平板である（図２３及び図２５参照）。この装飾パーツＳｐには、デザイン画像と後述する枠デザイン画像Ｆとが重畳した装飾パーツデザインＤｓが印刷される（図２５参照）。また、装飾パーツデザインＤｓが印刷された装飾パーツＳｐは、孔部Ｓｋにナスカン等の留め金具を備えた着脱簡易のストラップＳｔｒ等が取り付けられることで装飾具Ｓとなるものである。
【００８８】
本実施形態のネイルプリント装置１では、このような樹脂の透明平板を装飾具Ｓにするため、金属や装飾を使わず価格の非常に安い装飾具Ｓを作ることができる。このため、気軽に多種類、多数作ることができる上、薄くて非常に軽く、イヤリング等にした場合でも耳に負担をかけない。また、凹凸も無い為髪や服、スカーフ、マフラー等に絡まったり、ストラップＳｔｒや、根付、マーカー等の場合は携帯電話機やデジタルカメラ、財布、鞄等を傷つけることも無く、錆びたりもしないため持ち運びや保管も容易であり、便利である。
【００８９】
また、第３の実施形態の被印刷部材載置エリア６３１は、図２３（Ａ）のように、装飾パーツＳｐの孔部Ｓｋが嵌合可能な装飾具位置決めピン６３３を備えていてもよい。この装飾具位置決めピン６３３は、装飾パーツＳｐの孔部Ｓｋが嵌合されることで装飾パーツＳｐを固定し、さらに装飾パーツＳｐの向き（例えば、上下など）を決定するものである。これにより、上下を判別し難い円形の装飾パーツＳｐであっても上下方向を簡単かつ確実に決定し、印刷することができる。また、被印刷部材載置エリア６３１は、平板が載置されるため、あまり深くなくてよく、このため、図示例のように、円形の被印刷部材載置エリア６３１ａの上面に、略矩形の装飾パーツＳｐを載置可能な当該装飾パーツＳｐに対応した略矩形の被印刷部材載置エリア６３１ｂを重ねて設けていてもよい。なお、以下の説明では円形の装飾パーツＳｐに対して印刷するものとし、本実施形態における被印刷部材載置エリア６３１は、円形の被印刷部材載置エリア６３１ａを指すこととする。
【００９０】
また、本実施形態では、表示部１３には、装飾パーツデザインＤｓ及び枠デザイン画像Ｆをユーザに選択させる装飾パーツデザイン選択画面が表示されるようになっている。
【００９１】
また、本実施形態では、デザインデータ記憶部５１１は、さらに、装飾具Ｓを模した金属の枠や飾り、ラインストーンやパール等（図２５参照）のような枠デザイン画像Ｆの画像データを記憶している。この枠デザイン画像Ｆには、装飾パーツデザインＤｓが印刷される領域（枠被印刷領域Ｆｐ）が備えられている。この枠被印刷領域Ｆｐは、枠デザイン画像Ｆに対応付けられてデザインデータ記憶部５１１に記憶されている。
【００９２】
また、本実施形態では、合せ込み画像生成部５２４は、ユーザが選択した枠デザイン画像Ｆの大きさや形状をパーツ被印刷領域Ａｋの大きさや形状に合せる。また、合せ込み画像生成部５２４は、大きさ等が合せられた枠デザイン画像Ｆの枠被印刷領域Ｆｐに装飾パーツデザインＤｓの大きさを合せる。また、合せ込み画像生成部５２４は、この装飾パーツデザインＤｓを枠デザイン画像Ｆの枠被印刷領域Ｆｐに重畳させることで装飾具合せ込み画像Ｋｋを生成する。なお、本実施形態では、装飾パーツＳｐは平板であるため、曲率のない平坦な面がパーツ被印刷面Ｐｓとなる。このため、合せ込み画像生成部５２４は、装飾具合せ込み画像Ｋｋを生成の際に、装飾パーツデザインＤｓの曲率に基づく補正は行わない。
【００９３】
さらに、本実施形態では、印刷制御部５２５は、装飾具合せ込み画像Ｋｋ（これを表面印刷画像という。）を左右反転させた画像（これを裏面印刷画像という。図２５参照）を作成し、印刷ヘッド４６によってこの裏面印刷画像をパーツ被印刷面Ｐｓに印刷するようになっている。
また、印刷制御部５２５は、裏面印刷画像をパーツ被印刷面Ｐｓに印刷させた後、パーツ被印刷面Ｐｓに印刷された裏面印刷画像を隠蔽するように、印刷ヘッド４６によってパーツ被印刷面Ｐｓに印刷を施す隠蔽処理を行う。その後、さらに、印刷制御部５２５は、隠蔽処理されたパーツ被印刷面Ｐｓに装飾具合せ込み画像Ｋｋ（表面印刷画像）を印刷させる。
なお、隠蔽処理に用いられるインクの色は特に限定されないが、隠蔽処理された上からさらに装飾具合せ込み画像Ｋｋ（表面印刷画像）が印刷されるため、表面印刷画像の色合いに影響を与えないよう、隠蔽処理は、例えば、白色のインク等によって施されることが好ましい。
【００９４】
なお、その他の構成は、第１の実施形態又は第２の実施形態で説明したものと同様であるため、同一部材には同一の符号を付してその説明を省略する。
【００９５】
次に、図２４及び図２５を参照しつつ、本実施形態における装飾具印刷モードについて説明する。図２４は、第３の実施形態の装飾具印刷モードにおける処理を示すフローチャートであり、図２５は、第３の実施形態における装飾パーツＳｐに対する印刷手順を説明する説明図である。
まず、本実施形態の装飾具印刷モードでは、表示制御部５２１は、表示部１３にネイルプリント装置１の印刷指挿入部２０ａ内に、被印刷部材載置エリア６３１の装飾具位置決めピン６３３に装飾パーツＳｐの孔部Ｓｋが嵌合するように装飾パーツＳｐが載置された被印刷部材載置エリア６３１を挿入するよう指示する装飾具保持部挿入指示画面を表示させる（ステップＳ７１）。
その後、ステップＳ７２からステップＳ８１までの処理は第２の実施形態のステップＳ５２からステップＳ６１までと同様であるため説明を省略する。
【００９６】
パーツデータ取得（ステップＳ８１）後、制御部５２は、ユーザに選択されたネイルデザインＤｎに基づき、デザインデータ記憶部５１１から装飾パーツデザインＤｓ及び枠デザイン画像Ｆを取得する。次に、表示制御部５２１は、ユーザにこの装飾パーツデザインＤｓ及び枠デザイン画像Ｆをユーザに選択させる装飾パーツデザイン選択画面を表示部１３に表示させる（ステップＳ８２）
装飾パーツデザイン選択画面には、ユーザが装飾パーツデザインＤｓ及び枠デザイン画像Ｆを選択、指定するための決定釦（図示しない）が設けられており、ユーザが、装飾パーツＳｐに印刷したいいずれかの装飾パーツデザインＤｓ及び枠デザイン画像Ｆにタッチして決定釦を押すことで、装飾パーツＳｐに印刷する装飾パーツデザインＤｓ及び枠デザイン画像Ｆが指定される。
制御部５２は、装飾パーツＳｐに印刷する装飾パーツデザインＤｓ及び枠デザイン画像Ｆが指定されたか否かを判断し（ステップＳ８３）、装飾パーツデザインＤｓ及び枠デザイン画像Ｆが指定されていないと判断した場合（ステップＳ８３；ＮＯ）には、ステップＳ８３の判断処理を繰り返す。
【００９７】
他方、装飾パーツデザインＤｓ及び枠デザイン画像Ｆが指定されたと判断した場合（ステップＳ８３；ＹＥＳ）には、トレーコード読取部５２６によって読み取られたトレーコードに含まれる情報に基づきパーツ被印刷領域Ａｋが決定される。合せ込み画像生成部５２４は、ユーザが選択した枠デザイン画像Ｆをこのパーツ被印刷領域Ａｋに大きさ等を合せる。次に、合せ込み画像生成部５２４は、大きさ等が合せられた枠デザイン画像Ｆの枠被印刷領域Ｆｐに装飾パーツデザインＤｓの大きさ等を合せる。次に、合せ込み画像生成部５２４は、この装飾パーツデザインＤｓを大きさ等が合せられた枠被印刷領域Ｆｐに重畳させることで装飾具合せ込み画像Ｋｋを生成する（ステップＳ８４）。
印刷制御部５２５は、この装飾具合せ込み画像Ｋｋ（表面印刷画像）を左右反転させた画像（裏面印刷画像、図２５参照）を作成し、印刷ヘッド４６によってこの裏面印刷画像をパーツ被印刷面Ｐｓに印刷する（ステップＳ８５）。
【００９８】
次に、印刷ヘッド４６によってパーツ被印刷面Ｐｓに印刷された裏面印刷画像を隠蔽するように、パーツ被印刷面Ｐｓに印刷を施す（ステップＳ８６、隠蔽処理）。これにより、裏面印刷画像は、パーツ被印刷面Ｐｓ側からは見えないが、パーツ被印刷面Ｐｓの反対側からは見えるものとなる。このように、本実施形態では、パーツ被印刷面Ｐｓに裏面印刷画像と装飾具合せ込み画像Ｋｋとを印刷するため、装飾パーツＳｐを裏返す事無く印刷を完了することができるため、手間がかからず便利である。
【００９９】
その後、印刷制御部５２５は、印刷ヘッド４６を制御して、印刷ヘッド４６によって表面印刷画像（装飾具合せ込み画像Ｋｋ）をパーツ被印刷面Ｐｓに印刷する（ステップＳ８７）。
次に、制御部５２は、全ての装飾パーツＳｐについて印刷が終了したか否かを判断し（ステップＳ８８）、印刷が終了していない装飾パーツＳｐがあると判断した場合（ステップＳ８８；ＮＯ）には、印刷が終了していないいずれかの装飾パーツＳｐに対してステップＳ８４からの処理を行う。
他方、全ての印刷指Ｕ１について印刷が終了したと判断した場合（ステップＳ８８；ＹＥＳ）には、装飾具印刷モードによる印刷処理を終了する。
次に、この装飾パーツＳｐに、ナスカン等を付けて着脱簡易のストラップＳｔｒ等を取り付けて装飾具を完成させる。なお、装飾具印刷モードによる印刷処理後、ユーザによって、パーツ被印刷面Ｐｓにコーティング剤を塗ってもよい。これにより、装飾パーツデザインＤｓが汚れたり傷ついたりするのを防止することができる。
【０１００】
本実施形態のネイルプリント装置１は、このように、透明の平板にデザイン画像を印刷することで装飾具Ｓを作成するため、透かし彫りやレース調、羽根等のデザイン画像や載置することが難しい凹凸の激しい金具や鎖、球等を含む装飾具枠Ｓｆを自由に印刷することができるため、装飾具Ｓのデザインの自由度が高くよりファッションを楽しむことができる。
【０１０１】
なお、その他の点については、第１の実施形態又は第２の実施形態と同様であることから、その説明を省略する。
【０１０２】
このように構成されたネイルプリント装置１によっても第１の実施形態のネイルプリント装置１と同様の効果を得ることができる。
【０１０３】
なお、パーツ被印刷面Ｐｓに裏面印刷画像のみを印刷した２枚の装飾パーツＳｐを裏面同士が対向するように貼り合せることで装飾具Ｓを作成してもよい。これにより、印刷面が露出せず、擦れや傷に強くなるとともに、装飾具Ｓの両面に光沢の違いが生じることを防ぐことができる。
【０１０４】
[第４の実施形態]
次に、図２６及び図２７を参照しつつ、本発明に係るネイルプリント装置の第４の実施形態について説明する。なお、本実施形態は、装飾具保持部の構成のみが第１の実施形態等と異なるものであるため、以下においては、特に第１の実施形態等と異なる点について説明する。
【０１０５】
図２６（Ａ）は、第４の実施形態における装飾具保持部６４０の平面図であり、図２６（Ｂ）は、図２６（Ａ）における装飾具保持部６４０のＤ−Ｄ線断面図である。
この第４の実施形態の被印刷部材載置エリア６４１は、図２６（Ａ）等に示すように、金属の枠や飾り、ラインストーンやパール等を備える装飾具枠Ｓｆに装着された状態の装飾パーツＳｐ（装飾具Ｓ）を載置可能に形成されている点で、第１の実施形態から第３の実施形態までの被印刷部材載置エリア６４１と異なっている。また、この被印刷部材載置エリア６４１は、第１の実施形態から第３の実施形態の被印刷部材載置エリア６４１と異なり、装飾パーツＳｐが被印刷部材載置エリア６４１に載置された際に、装飾具Ｓの留め具Ｃを収容する金具類収容エリア６４４をさらに備えている。
【０１０６】
この第４の実施形態の被印刷部材載置エリア６４１は、各装飾具枠Ｓｆの形状に対応して形成されている。また、被印刷部材載置エリア６４１は、装飾具枠Ｓｆに装着された装飾パーツＳｐが載置された際に、被印刷部材載置エリア６４１の底面と装飾パーツＳｐとが接触しない深さで形成されている。これにより、被印刷部材載置エリア６４１は、装飾具枠Ｓｆに装着された状態の装飾パーツＳｐが載置されることができる。なお、被印刷部材載置エリア６４１の形状や大きさは、装飾パーツＳｐの印刷される面（パーツ被印刷面Ｐｓ）の高さが印刷ヘッド４６によって印刷可能な高さに保持されるものであればよく、特に限定されない。例えば、図示例のように装飾具枠Ｓｆに対応した形状 （平面視略円形）でなくても、装飾具枠Ｓｆを載置可能な平面視正方形であってもよい。
【０１０７】
金具類収容エリア６４４には、装飾具Ｓに装着された状態の装飾パーツＳｐが被印刷部材載置エリア６４１に載置された場合に、装飾具Ｓの留め具Ｃが載置される。金具類収容エリア６４４の大きさ、形状等は特に限定されず、装飾具印刷モードにおいて、印刷ヘッド４６による印刷を妨げないような高さで留め具Ｃを載置可能なものであればよい。
なお、金具類収容エリア６４４の配置位置、形状、大きさ、深さ等は、装飾具Ｓの留め具Ｃなどが印刷ヘッド４６の印刷処理を阻害しないように収容可能な大きさ、形状、深さであればよく、特に限定されない。
【０１０８】
本実施形態の被印刷部材載置エリア６４１は、この金具類収容エリア６４４を備えているため、留め具Ｃや装飾具枠Ｓｆを備えている装飾具Ｓであっても、装飾パーツＳｐを取り外すことなく、装飾パーツＳｐを被印刷部材載置エリア６４１に載置し、装飾パーツデザインＤｓを印刷することができる。
また、金具類収容エリア６４４は、留め具Ｃや装飾具枠Ｓｆを収容するため、装飾パーツＳｐの印刷中にこれら留め具Ｃや装飾具枠Ｓｆが印刷ヘッド４６に接触し印刷の障害になることを防止することができる。また、金具類収容エリア６４４は、留め具Ｃや装飾具枠Ｓｆが印刷ヘッド４６から吐出されたインクによって汚れることも防止することができる。
【０１０９】
また、本実施形態では、図２６（Ａ）に示すように、装飾パーツＳｐが被印刷部材載置エリア６４１の上に上下逆転して載置されているため、印刷制御部５２５は、装飾具印刷用画像を１８０°回転させて装飾パーツＳｐに印刷するようになっている。
【０１１０】
なお、その他の構成は、第１の実施形態で説明したものと同様であるため、同一部材には同一の符号を付してその説明を省略する。
【０１１１】
次に、図２７を参照しつつ、第４の実施形態の装飾具印刷モードにおける処理について説明する。
図２７は、第４の実施形態の装飾具印刷モードにおける処理を示すフローチャートである。
ステップＳ９１からステップＳ１０４までの処理は、第２の実施形態のステップＳ５１からステップＳ６４までと同様であるため説明を省略する。
ステップＳ１０４の処理が終わると、印刷制御部５２５は、パーツデータに含まれるパーツ被印刷面Ｐｓの曲率に基づいて調整された装飾具印刷用画像を生成する。このとき、図２６に示すように、被印刷部材載置エリア６４１に載置されている装飾パーツＳｐが上下に逆転しているため、印刷制御部５２５は、装飾具印刷用画像を１８０°回転させる（ステップＳ１０５）。次に、印刷制御部５２５は、印刷ヘッド４６を制御して、色をつける部分に対して印刷ヘッド４６によって１８０°回転させられた装飾具印刷画像を装飾パーツＳｐの一方の面に印刷する（ステップＳ１０６）。
制御部５２は、全ての装飾パーツＳｐについて印刷が終了したか否かを判断し（ステップＳ１０７）、印刷が終了していない装飾パーツＳｐがあると判断した場合（ステップＳ１０７；ＮＯ）には、印刷が終了していないいずれかの装飾パーツＳｐに対してステップＳ１０４からの処理を行う。
印刷が終了していない装飾パーツＳｐがないと判断した場合（ステップＳ１０７；ＹＥＳ）には、すなわち、全ての装飾パーツＳｐに対し一方の面の印刷が終わったら、この装飾具Ｓを取り出して印刷された装飾パーツＳｐにコーティング剤を塗る。コーティング剤が乾いた後、印刷されていない装飾パーツＳｐを上にして被印刷部材載置エリア６４１に載置し、装飾具保持部６４０を印刷指挿入部２０ａに挿入する。次に、印刷制御部５２５は、印刷ヘッド４６を制御して、１８０°回転させられた装飾具印刷画像を印刷ヘッド４６によって装飾パーツＳｐの他方の面に印刷する（ステップＳ１０８）。
制御部５２は、全ての装飾パーツＳｐについて印刷が終了したか否かを判断し（ステップＳ１０９）、印刷が終了していない装飾パーツＳｐがあると判断した場合（ステップＳ１０９；ＮＯ）には、印刷が終了していないいずれかの装飾パーツＳｐに対してステップＳ１０８からの処理を行う。
印刷が終了していない装飾パーツＳｐがないと判断した場合（ステップＳ１０９；ＹＥＳ）には、すなわち、全ての装飾パーツＳｐに対し他方の面の印刷が終わったら、この装飾具Ｓを取り出して印刷された装飾パーツＳｐにコーティング剤を塗る。コーティング剤が乾燥すると、装飾具Ｓは完成する。
なお、印刷された装飾パーツＳｐにコーティング剤を塗ることは、本発明の必須構成要素ではなく、塗らなくてもよい。
また、本実施形態では、装飾具印刷画像を１８０°回転させて装飾パーツＳｐに印刷するものとしたが、これに限定されず、被印刷部材載置エリア６４１に載置されている装飾パーツＳｐの向きに応じて、適宜変更可能である。
【０１１２】
なお、その他の点については、第１の実施形態と同様であることから、その説明を省略する。
【０１１３】
このように構成されたネイルプリント装置１によっても第１の実施形態のネイルプリント装置１と同様の効果を得ることができる。
【０１１４】
以上、本発明の実施形態について説明したが、本発明は、上記実施形態には限定されず、その要旨を逸脱しない範囲で、種々変形が可能である。
例えば、図２８に示すような変形例も可能である。
図２８（Ａ）は、本発明の装飾具保持部の変形例における装飾具保持部の平面図であり、図２８（Ｂ）は、図２８（Ａ）における装飾具保持部のＥ−Ｅ線断面図である。図２９は、図２８（Ａ）に示す装飾具保持部６５０及び指１本を指載置部２０ｃ上に載置し一度に印刷する場合の例を示す印刷指固定部２０の斜視図である。
図２８に示すように、装飾具保持部６５０は、装飾具Ｓを一つだけの載置可能な装飾具保持部６５０であってもよい。この場合、撮影制御部５２２は、撮影部３０に各装飾具保持部６５０のトレーコード６０１を認識させ、各装飾具保持部６５０を識別可能なように構成されていることが好ましい。このような構成により、装飾具保持部６５０を印刷指挿入部２０ａに複数載置することで、一度に複数のパターンの装飾具Ｓ（装飾パーツＳｐ）に印刷することが可能となる。なお、本変形例は、どの実施形態でも可能な形であり、図示例のように第４の実施形態における装飾具保持部６５０に限定されない。
また、このような装飾具保持部６５０を用いることで、指１本ずつしか印刷できないような小型のネイルプリント装置１でも装飾パーツＳｐに印刷ができるため便利である。更に、装飾具Ｓを一つだけ載置可能なこのような装飾具保持部６５０を、一つ若しくは二つ程度、印刷指挿入部２０ａ内の指載置部２０ｃ上に載置しても、図４（Ａ）に示す幅方向Ｘにおいて空きスペースを設けることができるため、この指載置部２０ｃ上の空きスペースに、印刷指Ｕ１を載置することができ、従って印刷指Ｕ１の爪Ｔと、被印刷部材載置エリア６４１に載置された装飾具Ｓの装飾パーツＳｐと、に同一のデザイン画像を一度に印刷することが可能となる。
【０１１５】
なお、上記各実施形態では、例えば、図８に示すように、装飾具保持部６１０が指載置部２０ｃの上に直接載置される場合を例として説明したが、本発明は、これに限定されない。
例えば、装飾具保持部６１０の幅方向の大きさが、装飾具保持部６１０の両側端が印刷指挿入部２０ａの側壁に接する程度である場合には、印刷指挿入部２０ａの側壁に手前側から奥側に向かって延在する溝（図示しない）を指載置部２０ｃの上方に形成し、当該溝に挿入するための凸部（図示しない）を装飾具保持部６１０の側面に形成することで、装飾具保持部６１０を、当該溝にスライドさせて、印刷指挿入部２０ａ内に挿入できるようにしてもよい。このように構成することにより、ユーザにとって、印刷指挿入部２０ａから装飾具保持部６１０の挿脱が容易となり、便利である。
なお、装飾具保持部６１０に形成される凸部の位置は特に限定されず、装飾具保持部６１０に載置された装飾パーツＳｐ等に印刷可能な状態で装飾具保持部６１０を固定できるものであればよい。
また、印刷指挿入部２０ａの側壁に凸部を形成し、これに係止されるような凹部が装飾具保持部６１０の側面に形成される構成としてもよい。また、印刷指挿入部２０ａの側壁ではなく、指載置部２０ｃの上面に、手前側から奥側に向かって延在する溝（図示しない）を形成し、当該溝に挿入するための凸部（図示しない）を装飾具保持部６１０の底面に形成することで、装飾具保持部６１０を、当該溝にスライドさせて、印刷指挿入部２０ａ内に挿入できるようにしてもよい。
【０１１６】
また、上記第１の実施形態では、パーツ被印刷面Ｐｓがインク等で着色（表面処理）されている場合を例として説明したが、これに限定されず、表面処理されなくてもよい。この場合、例えば、装飾パーツＳｐは、白色のプラスチック等、印刷領域抽出部５２３がパーツ被印刷領域Ａｋを抽出でき、かつ印刷される装飾パーツデザインの色に影響を与えない色の材料で形成されていることが好ましい。
【０１１７】
また、上記各実施形態では、印刷ヘッド４６によって印刷可能な高さを、印刷指Ｕ１が指載置部２０ｃに載置された際の爪Ｔと略同一の高さであることとして説明したが、印刷ヘッド４６によって印刷可能な高さは、これに限定されない。例えば、印刷ヘッド４６がその高さを調節可能としたり、印刷ヘッド４６から吐出されるインクの飛距離を調節可能とするなど、印刷ヘッド４６による印刷可能な印刷面の高さが調節できるように構成してもよい。この場合には、爪Ｔの高さとパーツ被印刷面Ｐｓの高さとを合わせる必要がないため、指載置部２０ｃをそのまま装飾具保持部６１０として用いてもよい。これにより、印刷指挿入部２０ａに爪Ｔと装飾パーツＳｐとを一度に載置できるため、手間がかからず便利である。また、装飾具保持部６１０を別途用意する必要がなく、装置構成を簡易化することができる。
また、印刷ヘッド４６によって印刷可能な高さを、印刷指Ｕ１が指載置部２０ｃに載置された際の爪Ｔと略同一の高さとするため、例えば、図６に示す第１の実施形態において、矩形状の被印刷部材載置エリア６１１の凹部の深さを、場所によって２段階若しくは３段階等にしてもよい。このように場所によって深さを変えることにより、装飾パーツＳｐの高さに応じて最適な深さの凹部の位置に載置することで、装飾パーツＳｐの上面の高さをほぼ同一面とすることができる。更には、予め被印刷部材載置エリア６１１の凹部の深さを深めに設定しておき、装飾パーツＳｐの上面の高さに応じて、被印刷部材載置エリア６１１の凹部に、下敷きを所定の枚数積層し、最適な高さに調整できるようにしても良い。
【０１１８】
また、上記各実施形態では、被印刷部材載置エリア６１１等に載置可能な装飾パーツＳｐの数特に限定されないが、例えば、図６（Ａ）に示すように複数載置できることが好ましい。この場合には、一度に複数の装飾パーツＳｐに対して印刷できるため、例えば、裏表二枚の装飾パーツＳｐを備える１組の装飾具Ｓの４つの装飾パーツＳｐに対して一度に印刷することができて便利である。
【０１１９】
なお、上記各実施形態では、例えば、図６（Ａ）に示す装飾具保持部６１０の上面に形成される滑り止め６０３は、装飾具保持部６１０の上面から突出するように取り付けられたゴム等である場合を例にして説明したが、これに限定されない。例えば、装飾具保持部６１０の上面に滑り止め用のシート等が貼付されることで形成されてもよい。また、滑り止め６０３は、エンボス加工等、装飾具保持部６１０の上面に凹凸をつける加工を施すことで形成されてもよい。
【０１２０】
また、上記各実施形態では、爪Ｔには、予め白色インクなどの下地用インクが塗布されていてもよい。このようにすることにより、爪Ｔに印刷される色インクの発色を向上させることができる。
【０１２１】
また、上記各実施形態では、印刷ヘッド４６から吹き付けられるインクは、特に限定されないが、除光液等でふき取れるものが好ましい。このようにすることで、装飾パーツＳｐに印刷された装飾パーツデザインＤｓをふき取ることができるため、装飾パーツＳｐの再利用が可能となり、コストの低い装飾具Ｓを作ることができ且つ環境にも配慮した装飾具Ｓを作ることができる。また、この場合、爪Ｔには、印刷前にコーティング剤が塗布されていることが、除光液から爪Ｔを保護することができるため好ましい。
【０１２２】
また、上記各実施形態では、例えば第１の実施形態に示したように、装飾具保持部６１０は、印刷指挿入部２０ａに挿脱可能に配置されるものを例として説明したが、これに限定されず、印刷ヘッド４６が装飾パーツＳｐに対して印刷可能な高さに保持するものであればよい。例えば、印刷指挿入部２０ａ内に引き出し式に抜き差し自在に構成されてもよい。この場合、爪印刷モードのときは、装飾具保持部６１０が印刷指挿入部２０ａから引き出された状態で爪Ｔに対して印刷され、装飾具印刷モードのときは、被印刷部材載置エリア６１１に装飾パーツＳｐが載置された装飾具保持部６１０を印刷指挿入部２０ａ内に挿入して、この状態で印刷処理が行われる。
【０１２３】
また、装飾具保持部６１０は、印刷指Ｕ１を印刷指挿入部２０ａに挿入された指の周囲や、印刷指挿入部２０ａの奥側等、爪Ｔに対する印刷の障害とならない位置に設置されてもよい。この場合、装飾具保持部６１０や装飾パーツＳｐを印刷指挿入部２０ａに配置したまま、印刷指Ｕ１の爪Ｔへの印刷を施すことができる。
【０１２４】
なお、上記各実施形態では、ネイルザインＤｎ及び装飾パーツデザインＤｓは、花柄といったモチーフを持つデザインを例としたが、これに限定されず、例えば、マーブル柄や豹柄のような全体的な模様であってもよい。
【０１２５】
以上本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
指の爪と、装飾具と、に印刷を施す印刷ヘッドと、
前記指を挿入する指挿入部と、
前記指挿入部内に配置され、少なくとも前記装飾具が載置される装飾具保持部と、
を備えていることを特徴とするネイルプリント装置。
＜請求項２＞
前記指挿入部に挿入された前記指の爪と、前記指挿入部内に配置された前記装飾具保持部に載置された前記装飾具と、にデザイン画像の印刷を施すように前記印刷ヘッドを制御する印刷制御部を備え、
前記装飾具保持部は、前記指挿入部から挿脱可能に設けられていることを特徴とする請求項１に記載のネイルプリント装置。
＜請求項３＞
前記指挿入部は、前記指を載置する指載置部を備え、
前記装飾具保持部は、前記装飾具が載置された場合に前記装飾具の前記被印刷面と前記指載置部に載置された前記指の爪とがほぼ同一の高さになるように形成されることを特徴とする請求項１及び請求項２に記載のネイルプリント装置。
＜請求項４＞
前記印刷制御部は、前記装飾具の前記被印刷面が曲面を持つ場合、前記被印刷面の前記曲面の曲率が大きくなるほど前記印刷ヘッドによる印刷の際の印刷ピッチが細かくなるように前記印刷ヘッドを制御することを特徴とする請求項１から請求項３のいずれか一項に記載のネイルプリント装置。
＜請求項５＞
前記装飾具の前記被印刷面に対応する装飾具被印刷領域を取得する印刷領域抽出部と、
前記印刷領域抽出部によって取得された前記装飾具被印刷領域に前記デザイン画像を合せ込むことにより、前記デザイン画像の元画像から前記装飾具被印刷領域の形状に沿った合せ込み画像を生成する合せ込み画像生成部と、
前記合せ込み画像生成部によって生成された前記合せ込み画像を表示するよう表示部を制御する表示制御部と、
を備えていることを特徴とする請求項１から請求項４のいずれか一項に記載のネイルプリント装置。
＜請求項６＞
前記指挿入部の側壁又は前記指載置部上には、前記装飾具保持部をスライドさせるための溝が形成されていることを特徴とする請求項１から請求項５のいずれか一項に記載のネイルプリント装置。
＜請求項７＞
前記指挿入部内に配置された前記装飾具保持部内の前記装飾具と、前記指挿入部内の前記指載置部上に載置された前記指の爪と、に前記デザイン画像を一度に印刷することが可能であることを特徴とする請求項１から請求項６のいずれか一項に記載のネイルプリント装置。
＜請求項８＞
前記装飾具保持部の前記装飾具を載置する被印刷部材載置エリアには、複数の深さの凹部が形成されていることを特徴とする請求項１から請求項７のいずれか一項に記載のネイルプリント装置。
【符号の説明】
【０１２６】
１      ネイルプリント装置
２      ケース本体
１２    操作部
１３    表示部
２０    印刷指固定部
２０ａ  印刷指挿入部
３０    撮影部
４０    印刷部
４６    印刷ヘッド
５０    制御装置
５１    記憶部
５２    制御部
５２１  表示制御部
５２４  合せ込み画像生成部
６１０  装飾具保持部
６１１  装飾具保持部
Ｓｐ    装飾パーツ
Ｔ      爪
【図１】
2014094127.tif 000003
【図２】
2014094127.tif 000004
【図３】
2014094127.tif 000005
【図４】
2014094127.tif 000006
【図５】
2014094127.tif 000007
【図６】
2014094127.tif 000008
【図７】
2014094127.tif 000009
【図８】
2014094127.tif 000010
【図９】
2014094127.tif 000011
【図１０】
2014094127.tif 000012
【図１１】
2014094127.tif 000013
【図１２】
2014094127.tif 000014
【図１３】
2014094127.tif 000015
【図１４】
2014094127.tif 000016
【図１５】
2014094127.tif 000017
【図１６】
2014094127.tif 000018
【図１７】
2014094127.tif 000019
【図１８】
2014094127.tif 000020
【図２１】
2014094127.tif 000021
【図２２】
2014094127.tif 000022
【図２３】
2014094127.tif 000023
【図２４】
2014094127.tif 000024
【図２６】
2014094127.tif 000025
【図２７】
2014094127.tif 000026
【図２８】
2014094127.tif 000027
【図２９】
2014094127.tif 000028
【図１９】
2014094127.tif 000029
【図２０】
2014094127.tif 000030
【図２５】
2014094127.tif 000031